(57)【要約】  ワイヤレス通信のための方法、システム、およびデバイスが説明される。基地局は、異なる持続時間を有する第1および第2の送信時間区間(TTI)中のサウンディング基準信号(SRS)送信用の第1および第2の構成の表示を送信し得る。ユーザ機器(UE)は、送信されるべきSRSを識別し得、TTI持続時間、ならびに第1および第2の構成の受信された表示に基づいて、SRS送信用の構成を決定し得る。UEは、次いで、構成に基づいてSRSを送信し得る。基地局は、TTIにおいてSRSを受信し得、SRSに少なくとも部分的に基づいてチャネル品質を決定し得る。追加として、デバイスは、TTIにおいて送信すべきデータを識別し得、TTI中でのデータの送信のために利用可能なリソース要素の個数を決定し得、利用可能なリソース要素に基づいてデータ送信用のトランスポートブロックサイズ(TBS)を決定し得る。
2020519110.tif 000002
【特許請求の範囲】
【請求項１】
第1の送信時間区間(TTI)持続時間および前記第1のTTI持続時間よりも長い第2のTTI持続時間をサポートするシステムにおけるワイヤレス通信のための方法であって、
ダウンリンク制御情報(DCI)または短縮DCI(sDCI)においてグラントを受信するステップと、
前記グラントを受信することに少なくとも部分的に基づいて、送信されるべきサウンディング基準信号(SRS)を識別するステップと、
前記グラントが前記DCIまたは前記sDCIにおいて受信されることに少なくとも部分的に基づいて、前記SRS用の構成を決定するステップと、
前記構成に少なくとも部分的に基づいて、前記第1のTTI持続時間を有するTTI中または前記第2のTTI持続時間を有するTTIにおいて前記SRSを送信するステップと
を備える方法。
【請求項２】
前記グラントが前記DCIまたは前記sDCIにおいて受信されることに少なくとも部分的に基づいて、前記SRS用の前記構成を決定する前記ステップが、
前記第1のTTI持続時間を有する前記TTIまたは前記第2のTTI持続時間を有する前記TTIにおいて送信されるように前記SRSがスケジュールされていることに少なくとも部分的に基づいて、前記SRS用の前記構成を決定するステップを備える、
請求項1に記載の方法。
【請求項３】
前記第1のTTI持続時間を有するTTI中のSRS送信用の第1の構成の表示、および前記第2のTTI持続時間を有するTTI中のSRS送信用の第2の構成の表示を受信するステップをさらに備え、前記SRS用の前記構成が、前記受信された表示に少なくとも部分的に基づいて決定される、
請求項1に記載の方法。
【請求項４】
前記SRS用の前記構成を決定する前記ステップが、
前記第1のTTI持続時間を有する前記TTIにおいて送信されるように前記SRSがスケジュールされているときには前記第1の構成に従って、また前記第2のTTI持続時間を有する前記TTIにおいて送信されるように前記SRSがスケジュールされているときには前記第2の構成に従って、前記SRS用の送信電力構成を決定するステップを備える、
請求項3に記載の方法。
【請求項５】
前記SRS用の前記送信電力構成を決定する前記ステップが、
前記第1のTTI持続時間を有する前記TTIまたは前記第2のTTI持続時間を有する前記TTIにおいて送信されるように前記SRSがスケジュールされていることに対応する、1つまたは複数の開ループ電力パラメータを受信するステップと、
前記第1のTTI持続時間を有する前記TTIまたは前記第2のTTI持続時間を有する前記TTIにおいて送信されるように前記SRSがスケジュールされていることに対応する、閉ループ電力パラメータを選択するステップとを備える、
請求項4に記載の方法。
【請求項６】
前記閉ループ電力パラメータが、前記第1のTTI持続時間を有する前記TTIまたは前記第2のTTI持続時間を有する前記TTIにおいて送信されるように前記SRSがスケジュールされていることに対応する、電力制御調整状態である、請求項5に記載の方法。
【請求項７】
前記1つまたは複数の開ループ電力パラメータが、
前記第1のTTI持続時間を有する前記TTIまたは前記第2のTTI持続時間を有する前記TTIにおいて送信されるように前記SRSがスケジュールされていることに対応するとともに、前記SRSを送信するために使用される、最大送信電力、SRSオフセット、もしくは帯域幅、またはそれらの組合せを備える、
請求項5に記載の方法。
【請求項８】
DCIまたはsDCIにおいて前記グラントを受信する前記ステップが、
sDCIにおいて前記グラントを受信するステップを備え、前記SRSが、sDCIにおいて前記グラントを受信することに少なくとも部分的に基づいて、前記第1のTTI持続時間を有する前記TTIに対応する前記構成に従って送信される、
請求項1に記載の方法。
【請求項９】
DCIまたはsDCIにおいて前記グラントを受信する前記ステップが、
DCIにおいて前記グラントを受信するステップを備え、前記SRSが、DCIにおいて前記グラントを受信することに少なくとも部分的に基づいて、前記第2のTTI持続時間を有する前記TTIに対応する前記構成に従って送信される、
請求項1に記載の方法。
【請求項１０】
前記第1のTTI持続時間を有する前記TTI中または前記第2のTTI持続時間を有する前記TTIにおいて送信されるべき前記SRSに対して、複数のTTIにおいて複数の送信電力構成を受信するステップと、
前記複数の送信電力構成のうちの1つまたは複数に少なくとも部分的に基づいて、前記SRS用の前記構成を決定するステップと
をさらに備える、請求項1に記載の方法。
【請求項１１】
前記複数の送信電力構成のうちの1つまたは複数に少なくとも部分的に基づいて、前記SRS用の前記構成を決定する前記ステップが、
前記複数の送信電力構成の蓄積に少なくとも部分的に基づいて、前記SRS用の前記構成を決定するステップを備える、
請求項10に記載の方法。
【請求項１２】
前記複数の送信電力構成のうちの1つまたは複数に少なくとも部分的に基づいて、前記SRS用の前記構成を決定する前記ステップが、
前記複数の送信電力構成のうちの1つにおいて示される最大または最小の送信電力に少なくとも部分的に基づいて、前記SRS用の前記構成を決定するステップを備える、
請求項10に記載の方法。
【請求項１３】
前記複数の送信電力構成のうちの1つまたは複数に少なくとも部分的に基づいて、前記SRS用の前記構成を決定する前記ステップが、
前記複数の送信電力構成において示される送信電力の平均に少なくとも部分的に基づいて、前記SRS用の前記構成を決定するステップを備える、
請求項10に記載の方法。
【請求項１４】
前記複数の送信電力構成が、前記SRSを送信するために使用されるべき同じ送信電力構成を示す、請求項10に記載の方法。
【請求項１５】
前記第1のTTI持続時間を有する第1のTTI中の第1のSRS送信と前記第2のTTI持続時間を有する第2のTTI中の第2のSRS送信との間の衝突を識別するステップ
をさらに備える、請求項1に記載の方法。
【請求項１６】
前記第1のSRS送信および前記第2のSRS送信が、同じキャリア上または異なるキャリア上にスケジュールされる、請求項15に記載の方法。
【請求項１７】
前記構成が、前記第1のTTI持続時間を有するTTI中のSRS送信に対する第1の優先度、および前記第2のTTI持続時間を有するTTI中のSRS送信に対する第2の優先度を示す、請求項15に記載の方法。
【請求項１８】
前記第1の優先度を前記第2の優先度と比較することに少なくとも部分的に基づいて、前記第1のSRSを送信すべきか、前記第2のSRSを送信すべきか、それともその両方を送信すべきかを決定するステップ
をさらに備える、請求項17に記載の方法。
【請求項１９】
前記第1のSRSを送信すべきか、前記第2のSRSを送信すべきか、それともその両方を送信すべきかを決定する前記ステップが、
電力制約に少なくとも部分的に基づいて、前記第1のSRSを送信すべきか、前記第2のSRSを送信すべきか、それともその両方を送信すべきかを決定するステップを備える、
請求項18に記載の方法。
【請求項２０】
前記第1のSRSを送信すべきか、前記第2のSRSを送信すべきか、それともその両方を送信すべきかを決定する前記ステップが、
前記第1のSRSに関連する第1の帯域幅が前記第2のSRSに関連する第2の帯域幅とオーバーラップするかどうかに少なくとも部分的に基づいて、前記第1のSRSを送信すべきか、前記第2のSRSを送信すべきか、それともその両方を送信すべきかを決定するステップを備える、
請求項18に記載の方法。
【請求項２１】
前記第1のSRSおよび前記第2のSRSを同時に送信するステップ
をさらに備える、請求項15に記載の方法。
【請求項２２】
前記第1のSRSおよび前記第2のSRSを送信することを控えるステップ
をさらに備える、請求項15に記載の方法。
【請求項２３】
第1の送信時間区間(TTI)持続時間および前記第1のTTI持続時間よりも長い第2のTTI持続時間をサポートするシステムにおけるワイヤレス通信のための方法であって、
前記第1のTTI持続時間を有するTTI中のサウンディング基準信号(SRS)送信用の第1の構成の表示、および前記第2のTTI持続時間を有するTTI中のSRS送信用の第2の構成の表示を送信するステップと、
TTIにおいてSRSを受信するステップであって、前記SRSの構成が、前記第1の構成または前記第2の構成のいずれかに少なくとも部分的に基づく、ステップと、
前記TTIにおいてデータを送信するために使用されるチャネルの少なくともチャネル品質を、前記SRSに少なくとも部分的に基づいて決定するステップと
を備える方法。
【請求項２４】
前記第1の構成の前記表示および前記第2の構成の前記表示を送信する前記ステップが、
前記第1のTTI持続時間または前記第2のTTI持続時間のいずれかを有する前記TTIに対応する、1つまたは複数の開ループ電力パラメータを送信するステップを備える、
請求項23に記載の方法。
【請求項２５】
前記1つまたは複数の開ループ電力パラメータが、前記第1のTTI持続時間または前記第2のTTI持続時間のいずれかを有する前記TTIに対応するとともに、前記SRSを送信するために使用される、最大送信電力、SRSオフセット、もしくは帯域幅、またはそれらの組合せを備える、請求項24に記載の方法。
【請求項２６】
前記SRSが非周期的なSRSを備える、請求項23に記載の方法。
【請求項２７】
短縮ダウンリンク制御情報(sDCI)においてグラントを送信するステップをさらに備え、前記SRSが、前記送信されたグラントに少なくとも部分的に基づいて、前記第1のTTI持続時間を有する前記TTIにおいて前記第1の構成に従って受信される、
請求項26に記載の方法。
【請求項２８】
ダウンリンク制御情報(DCI)においてグラントを送信するステップをさらに備え、前記SRSが、前記送信されたグラントに少なくとも部分的に基づいて、前記第2のTTI持続時間を有する前記TTIにおいて前記第2の構成に従って受信される、
請求項26に記載の方法。
【請求項２９】
第1の送信時間区間(TTI)持続時間および前記第1のTTI持続時間よりも長い第2のTTI持続時間をサポートするシステムにおけるワイヤレス通信のための方法であって、
前記第1のTTI持続時間を有するTTIにおいて送信すべきデータを識別するステップと、
前記第1のTTI持続時間を有する前記TTI中での前記データの送信のために利用可能なリソース要素の個数を決定するステップと、
前記第1のTTI持続時間を有する前記TTI中での前記データの送信のために利用可能なリソース要素の前記決定された個数に少なくとも部分的に基づいて、前記第1のTTI持続時間を有する前記TTI中での前記データの送信用のトランスポートブロックサイズ(TBS)を決定するステップと
を備える方法。
【請求項３０】
前記第1のTTI持続時間を有する前記TTI中での前記データの送信のために利用可能なリソース要素の前記個数を決定する前記ステップが、
前記第2のTTI持続時間を有するTTI中の通信に関連する制御チャネルの中の制御情報のために予約されている、前記第1のTTI持続時間を有する前記TTIにおいてリソース要素の個数を識別するステップを備える、
請求項29に記載の方法。
【請求項３１】
制御情報のために予約されている、前記第1のTTI持続時間を有する前記TTIにおいてリソース要素の前記個数を識別する前記ステップが、
制御情報のために予約されている、前記第1のTTI持続時間を有する前記TTIにおいてリソース要素のデフォルトの個数を識別するステップを備える、
請求項30に記載の方法。
【請求項３２】
前記制御チャネルが物理ダウンリンク制御チャネル(PDCCH)を備える、請求項30に記載の方法。
【請求項３３】
前記第1のTTI持続時間を有する前記TTI中での前記データの送信のために利用可能なリソース要素の個数を決定する前記ステップが、
前記第1のTTI持続時間を有するTTI中の通信に関連する制御チャネルの中の制御情報のために予約されている、前記第1のTTI持続時間を有する前記TTIにおいてリソース要素の個数を識別するステップを備える、
請求項29に記載の方法。
【請求項３４】
前記制御チャネルが短縮物理ダウンリンク制御チャネル(sPDCCH)を備える、請求項33に記載の方法。
【請求項３５】
前記第1のTTI持続時間を有する前記TTI中の通信のために使用される送信モード(TM)が、セル固有基準信号(CRS)ベースであるのかそれとも復調基準信号(DMRS)ベースであるのかを決定するステップと、
前記TMがCRSベースであるのかそれともDMRSベースであるのかを決定することに少なくとも部分的に基づいて、前記送信用の前記TBSを決定するステップと
をさらに備える、請求項29に記載の方法。
【請求項３６】
第1の送信時間区間(TTI)持続時間および前記第1のTTI持続時間よりも長い第2のTTI持続時間をサポートするシステムにおけるワイヤレス通信のための装置であって、
ダウンリンク制御情報(DCI)または短縮DCI(sDCI)においてグラントを受信するための手段と、
前記グラントを受信することに少なくとも部分的に基づいて、送信されるべきサウンディング基準信号(SRS)を識別するための手段と、
前記グラントが前記DCIまたは前記sDCIにおいて受信されることに少なくとも部分的に基づいて、前記SRS用の構成を決定するための手段と、
前記構成に少なくとも部分的に基づいて、前記第1のTTI持続時間を有するTTI中または前記第2のTTI持続時間を有するTTIにおいて前記SRSを送信するための手段と
を備える装置。
【請求項３７】
第1の送信時間区間(TTI)持続時間および前記第1のTTI持続時間よりも長い第2のTTI持続時間をサポートするシステムにおけるワイヤレス通信のための装置であって、
前記第1のTTI持続時間を有するTTI中のサウンディング基準信号(SRS)送信用の第1の構成の表示、および前記第2のTTI持続時間を有するTTI中のSRS送信用の第2の構成の表示を送信するための手段と、
TTIにおいてSRSを受信するための手段であって、前記SRSの構成が、前記第1の構成または前記第2の構成のいずれかに少なくとも部分的に基づく、手段と、
前記TTIにおいてデータを送信するために使用されるチャネルの少なくともチャネル品質を、前記SRSに少なくとも部分的に基づいて決定するための手段と
を備える装置。
【請求項３８】
第1の送信時間区間(TTI)持続時間および前記第1のTTI持続時間よりも長い第2のTTI持続時間をサポートするシステムにおけるワイヤレス通信のための装置であって、
前記第1のTTI持続時間を有するTTIにおいて送信すべきデータを識別するための手段と、
前記第1のTTI持続時間を有する前記TTI中での前記データの送信のために利用可能なリソース要素の個数を決定するための手段と、
前記第1のTTI持続時間を有する前記TTI中での前記データの送信のために利用可能なリソース要素の前記決定された個数に少なくとも部分的に基づいて、前記第1のTTI持続時間を有する前記TTI中での前記データの送信用のトランスポートブロックサイズ(TBS)を決定するための手段と
を備える装置。
【請求項３９】
第1の送信時間区間(TTI)持続時間および前記第1のTTI持続時間よりも長い第2のTTI持続時間をサポートするシステムにおけるワイヤレス通信のためのモバイルデバイスであって、
プロセッサと、
前記プロセッサと電子通信しているメモリと、
前記メモリの中に記憶された命令とを備え、前記命令が、前記プロセッサによって実行されたとき、装置に、
ダウンリンク制御情報(DCI)または短縮DCI(sDCI)においてグラントを受信することと、
前記グラントを受信することに少なくとも部分的に基づいて、送信されるべきサウンディング基準信号(SRS)を識別することと、
前記グラントが前記DCIまたは前記sDCIにおいて受信されることに少なくとも部分的に基づいて、前記SRS用の構成を決定することと、
前記構成に少なくとも部分的に基づいて、前記第1のTTI持続時間を有するTTI中または前記第2のTTI持続時間を有するTTIにおいて前記SRSを送信することとをさせるように動作可能である、
モバイルデバイス。
【請求項４０】
第1の送信時間区間(TTI)持続時間および前記第1のTTI持続時間よりも長い第2のTTI持続時間をサポートするシステムにおけるワイヤレス通信のためのネットワークデバイスであって、
プロセッサと、
前記プロセッサと電子通信しているメモリと、
前記メモリの中に記憶された命令とを備え、前記命令が、前記プロセッサによって実行されたとき、装置に、
前記第1のTTI持続時間を有するTTI中のサウンディング基準信号(SRS)送信用の第1の構成の表示、および前記第2のTTI持続時間を有するTTI中のSRS送信用の第2の構成の表示を送信することと、
TTIにおいてSRSを受信することであって、前記SRSの構成が、前記第1の構成または前記第2の構成のいずれかに少なくとも部分的に基づくことと、
前記TTIにおいてデータを送信するために使用されるチャネルの少なくともチャネル品質を、前記SRSに少なくとも部分的に基づいて決定することとをさせるように動作可能である、
ネットワークデバイス。
【請求項４１】
第1の送信時間区間(TTI)持続時間および前記第1のTTI持続時間よりも長い第2のTTI持続時間をサポートするシステムにおけるワイヤレス通信のための装置であって、
プロセッサと、
前記プロセッサと電子通信しているメモリと、
前記メモリの中に記憶された命令とを備え、前記命令が、前記プロセッサによって実行されたとき、前記装置に、
前記第1のTTI持続時間を有するTTIにおいて送信すべきデータを識別することと、
前記第1のTTI持続時間を有する前記TTI中での前記データの送信のために利用可能なリソース要素の個数を決定することと、
前記第1のTTI持続時間を有する前記TTI中での前記データの送信のために利用可能なリソース要素の前記決定された個数に少なくとも部分的に基づいて、前記第1のTTI持続時間を有する前記TTI中での前記データの送信用のトランスポートブロックサイズ(TBS)を決定することとをさせるように動作可能である、
装置。
【請求項４２】
第1の送信時間区間(TTI)持続時間および前記第1のTTI持続時間よりも長い第2のTTI持続時間をサポートするシステムにおけるワイヤレス通信のためのコードを記憶するコンピュータ可読記憶媒体であって、前記コードが、
ダウンリンク制御情報(DCI)または短縮DCI(sDCI)においてグラントを受信することと、
前記グラントを受信することに少なくとも部分的に基づいて、送信されるべきサウンディング基準信号(SRS)を識別することと、
前記グラントが前記DCIまたは前記sDCIにおいて受信されることに少なくとも部分的に基づいて、前記SRS用の構成を決定することと、
前記構成に少なくとも部分的に基づいて、前記第1のTTI持続時間を有するTTI中または前記第2のTTI持続時間を有するTTIにおいて前記SRSを送信することとを行うように、プロセッサによって実行可能な命令を備える、
コンピュータ可読記憶媒体。
【請求項４３】
第1の送信時間区間(TTI)持続時間および前記第1のTTI持続時間よりも長い第2のTTI持続時間をサポートするシステムにおけるワイヤレス通信のためのコードを記憶するコンピュータ可読記憶媒体であって、前記コードが、
前記第1のTTI持続時間を有するTTI中のサウンディング基準信号(SRS)送信用の第1の構成の表示、および前記第2のTTI持続時間を有するTTI中のSRS送信用の第2の構成の表示を送信することと、
TTIにおいてSRSを受信することであって、前記SRSの構成が、前記第1の構成または前記第2の構成のいずれかに少なくとも部分的に基づくことと、
前記TTIにおいてデータを送信するために使用されるチャネルの少なくともチャネル品質を、前記SRSに少なくとも部分的に基づいて決定することとを行うように、プロセッサによって実行可能な命令を備える、
コンピュータ可読記憶媒体。
【請求項４４】
第1の送信時間区間(TTI)持続時間および前記第1のTTI持続時間よりも長い第2のTTI持続時間をサポートするシステムにおけるワイヤレス通信のためのコードを記憶するコンピュータ可読記憶媒体であって、前記コードが、
前記第1のTTI持続時間を有するTTIにおいて送信すべきデータを識別することと、
前記第1のTTI持続時間を有する前記TTI中での前記データの送信のために利用可能なリソース要素の個数を決定することと、
前記第1のTTI持続時間を有する前記TTI中での前記データの送信のために利用可能なリソース要素の前記決定された個数に少なくとも部分的に基づいて、前記第1のTTI持続時間を有する前記TTI中での前記データの送信用のトランスポートブロックサイズ(TBS)を決定することとを行うように、プロセッサによって実行可能な命令を備える、
コンピュータ可読記憶媒体。
【発明の詳細な説明】
【技術分野】
【０００１】
相互参照
本特許出願は、その各々が本出願の譲受人に譲渡されるとともにその全体が参照により明確に組み込まれる、2018年5月2日に出願されたHosseiniらによる「Sounding Reference Signal Configuration and Transport Block Size Scaling in Low Latency Systems」と題する米国特許出願第15/969,586号、および2017年5月5日に出願されたHosseiniらによる「Sounding Reference Signal Configuration and Transport Block Size Scaling in Low Latency Systems」と題する米国仮特許出願第62/502,560号の優先権を主張する。
【０００２】
以下は、一般に、ワイヤレス通信に関し、より詳細には、低レイテンシシステムにおけるサウンディング基準信号(SRS:Sounding Reference Signal)構成およびトランスポートブロックサイズ(TBS:Transport Block Size)スケーリングに関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することによって複数のユーザとの通信をサポートすることが可能であり得る。そのような多元接続システムの例は、符号分割多元接続(CDMA)システム、時分割多元接続(TDMA)システム、周波数分割多元接続(FDMA)システム、および直交周波数分割多元接続(OFDMA)システム、(たとえば、ロングタームエボリューション(LTE)システムまたはニューラジオ(NR)システム)を含む。
【０００４】
ワイヤレス多元接続通信システムは、場合によってはユーザ機器(UE)と呼ばれることがある複数の通信デバイスのための通信を各々が同時にサポートする、いくつかの基地局またはアクセスネットワークノードを含んでよい。いくつかのワイヤレス通信システムは、異なるタイプの通信(たとえば、モバイルブロードバンド(MBB)通信および低レイテンシ通信)をサポートし得る。場合によっては、通信のために使用される送信時間区間(TTI:Transmission Time Interval)の持続時間は、異なるタイプの通信に対して異なることがある。たとえば、MBB通信のために使用されるTTIの持続時間(たとえば、1ms)は、低レイテンシ通信のために使用されるTTIの持続時間(たとえば、0.5ms以下)よりも長いことがある。異なる持続時間を有するTTIにおいて通信するための従来の技法は不十分であり得る。
【発明の概要】
【課題を解決するための手段】
【０００５】
説明する技法は、異なる持続時間を有する送信時間区間(TTI)中に通信するための、改善された方法、システム、デバイス、または装置に関する。一例では、ユーザ機器(UE)は、異なる持続時間を有するTTIにおいてサウンディング基準信号(SRS)を異なって送信するように構成され得る。場合によっては、UEは、同じ持続時間を有するTTIにおいてグラント(たとえば、アップリンクグラントまたはダウンリンクグラント)を受信することに基づいて、(たとえば、特定のタイプの通信に関連する)特定の持続時間を有するTTIにおいてSRSを送信するようにトリガされ得る。たとえば、UEは、sTTI n+4(たとえば、スロットn+4)の中またはsTTI n+4の後に(たとえば、sTTI n+4の中または後の最初のSRS機会の中に)UEからのSRS送信をスケジュールし得る短縮ダウンリンク制御情報(DCI:Downlink Control Information)(sDCI:shortened DCI)を、sTTI n(たとえば、スロットn)において受信し得る。
【０００６】
UEは、次いで、グラントが受信されたTTIの持続時間に基づいて、またはSRS送信がスケジュールされている(たとえば、SRS送信に関連する通信のタイプに基づいてよい)TTIの持続時間に基づいて、SRSを送信するための構成を決定し得る。別の例では、ワイヤレス通信システム内のワイヤレスデバイス(たとえば、基地局またはUE)は、トランスポートブロックが送信されるようにスケジュールされている(たとえば、トランスポートブロックに関連する通信のタイプに基づいてよい)TTIの持続時間に基づいて、トランスポートブロック用のトランスポートブロックサイズ(TBS)を決定するように構成され得る。たとえば、ワイヤレスデバイスは、トランスポートブロックが送信されるようにスケジュールされているTTIにおいてまたは短縮TTI(sTTI:shortened TTI)においてデータのために利用可能なリソース要素の個数に基づいて、TBSを決定し得る。
【０００７】
第1のTTI持続時間および第1のTTI持続時間よりも長い第2のTTI持続時間をサポートするシステムにおけるワイヤレス通信のための方法が説明される。方法は、DCIまたはsDCIにおいてグラントを受信することと、グラントを受信することに少なくとも部分的に基づいて、送信されるべきSRSを識別することと、グラントがDCIまたはsDCIにおいて受信されることに少なくとも部分的に基づいて、SRS用の構成を決定することと、構成に少なくとも部分的に基づいて、第1のTTI持続時間を有するTTI中または第2のTTI持続時間を有するTTIにおいてSRSを送信することとを含んでよい。
【０００８】
第1のTTI持続時間および第1のTTI持続時間よりも長い第2のTTI持続時間をサポートするシステムにおけるワイヤレス通信のための装置が説明される。装置は、DCIまたはsDCIにおいてグラントを受信するための手段と、グラントを受信することに少なくとも部分的に基づいて、送信されるべきSRSを識別するための手段と、グラントがDCIまたはsDCIにおいて受信されることに少なくとも部分的に基づいて、SRS用の構成を決定するための手段と、構成に少なくとも部分的に基づいて、第1のTTI持続時間を有するTTI中または第2のTTI持続時間を有するTTIにおいてSRSを送信するための手段とを含んでよい。
【０００９】
第1のTTI持続時間および第1のTTI持続時間よりも長い第2のTTI持続時間をサポートするシステムにおけるワイヤレス通信のための別の装置が説明される。装置は、プロセッサと、プロセッサと電子通信しているメモリと、メモリの中に記憶された命令とを含んでよい。命令は、プロセッサに、DCIまたはsDCIにおいてグラントを受信することと、グラントを受信することに少なくとも部分的に基づいて、送信されるべきSRSを識別することと、グラントがDCIまたはsDCIにおいて受信されることに少なくとも部分的に基づいて、SRS用の構成を決定することと、構成に少なくとも部分的に基づいて、第1のTTI持続時間を有するTTI中または第2のTTI持続時間を有するTTIにおいてSRSを送信することとをさせるように動作可能であってよい。
【００１０】
第1のTTI持続時間および第1のTTI持続時間よりも長い第2のTTI持続時間をサポートするシステムにおけるワイヤレス通信のための非一時的コンピュータ可読媒体が説明される。非一時的コンピュータ可読媒体は、プロセッサに、DCIまたはsDCIにおいてグラントを受信することと、グラントを受信することに少なくとも部分的に基づいて、送信されるべきSRSを識別することと、グラントがDCIまたはsDCIにおいて受信されることに少なくとも部分的に基づいて、SRS用の構成を決定することと、構成に少なくとも部分的に基づいて、第1のTTI持続時間を有するTTI中または第2のTTI持続時間を有するTTIにおいてSRSを送信することとをさせるように動作可能な命令を含んでよい。
【００１１】
上記で説明した方法、装置、および非一時的コンピュータ可読媒体のいくつかの例では、グラントがDCIまたはsDCIにおいて受信されることに少なくとも部分的に基づいて、SRS用の構成を決定することは、第1のTTI持続時間を有するTTIまたは第2のTTI持続時間を有するTTIにおいて送信されるようにSRSがスケジュールされていることに少なくとも部分的に基づいて、SRS用の構成を決定することを含む。上記で説明した方法、装置、および非一時的コンピュータ可読媒体のいくつかの例は、第1のTTI持続時間を有するTTI中のSRS送信用の第1の構成の表示、および第2のTTI持続時間を有するTTI中のSRS送信用の第2の構成の表示を受信するための、プロセス、特徴、手段、または命令をさらに含んでよく、SRS用の構成は、受信された表示に少なくとも部分的に基づいて決定され得る。
【００１２】
上記で説明した方法、装置、および非一時的コンピュータ可読媒体のいくつかの例では、SRS用の構成を決定することは、第1のTTI持続時間を有するTTIにおいて送信されるようにSRSがスケジュールされているときには第1の構成に従って、また第2のTTI持続時間を有するTTIにおいて送信されるようにSRSがスケジュールされているときには第2の構成に従って、SRS用の送信電力構成を決定することを備える。上記で説明した方法、装置、および非一時的コンピュータ可読媒体のいくつかの例では、SRS用の送信電力構成を決定することは、第1のTTI持続時間を有するTTIまたは第2のTTI持続時間を有するTTIにおいて送信されるようにSRSがスケジュールされていることに対応する、1つまたは複数の開ループ電力パラメータを受信することと、第1のTTI持続時間を有するTTIまたは第2のTTI持続時間を有するTTIにおいて送信されるようにSRSがスケジュールされていることに対応する、閉ループパラメータを選択することとを備える。
【００１３】
上記で説明した方法、装置、および非一時的コンピュータ可読媒体のいくつかの例では、閉ループ電力パラメータは、第1のTTI持続時間を有するTTIまたは第2のTTI持続時間を有するTTIにおいて送信されるようにSRSがスケジュールされていることに対応する、電力制御調整状態であってよい。上記で説明した方法、装置、および非一時的コンピュータ可読媒体のいくつかの例では、1つまたは複数の開ループ電力パラメータは、第1のTTI持続時間を有するTTIまたは第2のTTI持続時間を有するTTIにおいて送信されるようにSRSがスケジュールされていることに対応するとともに、SRSを送信するために使用される、最大送信電力、SRSオフセット、もしくは帯域幅、またはそれらの組合せを備える。
【００１４】
上記で説明した方法、装置、および非一時的コンピュータ可読媒体のいくつかの例では、DCIまたはsDCIにおいてグラントを受信することは、sDCIにおいてグラントを受信することを含み、SRSは、sDCIにおいてグラントを受信することに少なくとも部分的に基づいて、第1のTTI持続時間を有するTTIに対応する構成に従って送信され得る。上記で説明した方法、装置、および非一時的コンピュータ可読媒体のいくつかの例では、DCIまたはsDCIにおいてグラントを受信することは、DCIにおいてグラントを受信することを含み、SRSは、DCIにおいてグラントを受信することに少なくとも部分的に基づいて、第2のTTI持続時間を有するTTIに対応する構成に従って送信され得る。
【００１５】
上記で説明した方法、装置、および非一時的コンピュータ可読媒体のいくつかの例は、第1のTTI持続時間を有するTTI中または第2のTTI持続時間を有するTTIにおいて送信されるべきSRSに対して、複数のTTIにおいて複数の送信電力構成を受信し、複数の送信電力構成のうちの1つまたは複数に少なくとも部分的に基づいて、SRS用の構成を決定するための、プロセス、特徴、手段、または命令をさらに含んでよい。上記で説明した方法、装置、および非一時的コンピュータ可読媒体のいくつかの例では、複数の送信電力構成のうちの1つまたは複数に基づいて、SRS用の構成を決定することは、複数の送信電力構成の蓄積に基づいて、SRS用の構成を決定することを備える。
【００１６】
上記で説明した方法、装置、および非一時的コンピュータ可読媒体のいくつかの例では、複数の送信電力構成のうちの1つまたは複数に基づいて、SRS用の構成を決定することは、複数の送信電力構成のうちの1つにおいて示される最大または最小の送信電力に基づいて、SRS用の構成を決定することを備える。上記で説明した方法、装置、および非一時的コンピュータ可読媒体のいくつかの例では、複数の送信電力構成のうちの1つまたは複数に基づいて、SRS用の構成を決定することは、複数の送信電力構成において示される送信電力の平均に基づいて、SRS用の構成を決定することを備える。上記で説明した方法、装置、および非一時的コンピュータ可読媒体のいくつかの例では、複数の送信電力構成は、SRSを送信するために使用されるべき同じ送信電力構成を示す。
【００１７】
上記で説明した方法、装置、および非一時的コンピュータ可読媒体のいくつかの例は、第1のTTI持続時間を有する第1のTTI中の第1のSRS送信と第2のTTI持続時間を有する第2のTTI中の第2のSRS送信との間の衝突を識別するための、プロセス、特徴、手段、または命令をさらに含んでよい。上記で説明した方法、装置、および非一時的コンピュータ可読媒体のいくつかの例では、第1のSRS送信および第2のSRS送信は、同じキャリア上または異なるキャリア上にスケジュールされる。上記で説明した方法、装置、および非一時的コンピュータ可読媒体のいくつかの例では、構成は、第1のTTI持続時間を有するTTI中のSRS送信に対する第1の優先度、および第2のTTI持続時間を有するTTI中のSRS送信に対する第2の優先度を示す。上記で説明した方法、装置、および非一時的コンピュータ可読媒体のいくつかの例は、第1の優先度を第2の優先度と比較することに少なくとも部分的に基づいて、第1のSRSを送信すべきか、第2のSRSを送信すべきか、それともその両方を送信すべきかを決定するための、プロセス、特徴、手段、または命令をさらに含んでよい。
【００１８】
上記で説明した方法、装置、および非一時的コンピュータ可読媒体のいくつかの例では、第1のSRSを送信すべきか、第2のSRSを送信すべきか、それともその両方を送信すべきかを決定することは、電力制約に少なくとも部分的に基づいて、第1のSRSを送信すべきか、第2のSRSを送信すべきか、それともその両方を送信すべきかを決定することを備える。上記で説明した方法、装置、および非一時的コンピュータ可読媒体のいくつかの例では、第1のSRSを送信すべきか、第2のSRSを送信すべきか、それともその両方を送信すべきかを決定することは、第1のSRSに関連する第1の帯域幅が第2のSRSに関連する第2の帯域幅とオーバーラップするかどうかに少なくとも部分的に基づいて、第1のSRSを送信すべきか、第2のSRSを送信すべきか、それともその両方を送信すべきかを決定することを備える。
【００１９】
上記で説明した方法、装置、および非一時的コンピュータ可読媒体のいくつかの例は、第1のSRSおよび第2のSRSを同時に送信するための、プロセス、特徴、手段、または命令をさらに含んでよい。上記で説明した方法、装置、および非一時的コンピュータ可読媒体のいくつかの例は、第1のSRSおよび第2のSRSを送信することを控えるための、プロセス、特徴、手段、または命令をさらに含んでよい。
【００２０】
第1のTTI持続時間および第1のTTI持続時間よりも長い第2のTTI持続時間をサポートするシステムにおけるワイヤレス通信のための方法が説明される。方法は、第1のTTI持続時間を有するTTI中のSRS送信用の第1の構成の表示、および第2のTTI持続時間を有するTTI中のSRS送信用の第2の構成の表示を送信することと、TTIにおいてSRSを受信することであって、SRSの構成が、第1の構成または第2の構成のいずれかに少なくとも部分的に基づくことと、TTIにおいてデータを送信するために使用されるチャネルの少なくともチャネル品質を、SRSに少なくとも部分的に基づいて決定することとを含んでよい。
【００２１】
第1のTTI持続時間および第1のTTI持続時間よりも長い第2のTTI持続時間をサポートするシステムにおけるワイヤレス通信のための装置が説明される。装置は、第1のTTI持続時間を有するTTI中のSRS送信用の第1の構成の表示、および第2のTTI持続時間を有するTTI中のSRS送信用の第2の構成の表示を送信するための手段と、TTIにおいてSRSを受信するための手段であって、SRSの構成が、第1の構成または第2の構成のいずれかに少なくとも部分的に基づく、手段と、TTIにおいてデータを送信するために使用されるチャネルの少なくともチャネル品質を、SRSに少なくとも部分的に基づいて決定するための手段とを含んでよい。
【００２２】
第1のTTI持続時間および第1のTTI持続時間よりも長い第2のTTI持続時間をサポートするシステムにおけるワイヤレス通信のための別の装置が説明される。装置は、プロセッサと、プロセッサと電子通信しているメモリと、メモリの中に記憶された命令とを含んでよい。命令は、プロセッサに、第1のTTI持続時間を有するTTI中のSRS送信用の第1の構成の表示、および第2のTTI持続時間を有するTTI中のSRS送信用の第2の構成の表示を送信することと、TTIにおいてSRSを受信することであって、SRSの構成が、第1の構成または第2の構成のいずれかに少なくとも部分的に基づくことと、TTIにおいてデータを送信するために使用されるチャネルの少なくともチャネル品質を、SRSに少なくとも部分的に基づいて決定することとをさせるように動作可能であってよい。
【００２３】
第1のTTI持続時間および第1のTTI持続時間よりも長い第2のTTI持続時間をサポートするシステムにおけるワイヤレス通信のための非一時的コンピュータ可読媒体が説明される。非一時的コンピュータ可読媒体は、プロセッサに、第1のTTI持続時間を有するTTI中のSRS送信用の第1の構成の表示、および第2のTTI持続時間を有するTTI中のSRS送信用の第2の構成の表示を送信することと、TTIにおいてSRSを受信することであって、SRSの構成が、第1の構成または第2の構成のいずれかに少なくとも部分的に基づくことと、TTIにおいてデータを送信するために使用されるチャネルの少なくともチャネル品質を、SRSに少なくとも部分的に基づいて決定することとをさせるように動作可能な命令を含んでよい。
【００２４】
上記で説明した方法、装置、および非一時的コンピュータ可読媒体のいくつかの例では、第1の構成の表示および第2の構成の表示を送信することは、第1のTTI持続時間または第2のTTI持続時間のいずれかを有するTTIに対応する、1つまたは複数の開ループ電力パラメータを送信することを備える。上記で説明した方法、装置、および非一時的コンピュータ可読媒体のいくつかの例では、1つまたは複数の開ループ電力パラメータは、第1のTTI持続時間または第2のTTI持続時間のいずれかを有するTTIに対応するとともに、SRSを送信するために使用される、最大送信電力、SRSオフセット、もしくは帯域幅、またはそれらの組合せを備える。
【００２５】
上記で説明した方法、装置、および非一時的コンピュータ可読媒体のいくつかの例では、SRSは周期的なSRSを備える。上記で説明した方法、装置、および非一時的コンピュータ可読媒体のいくつかの例では、SRSの構成は、第1のTTI持続時間または第2のTTI持続時間のいずれかを有するTTIに対応する、SRS周期性、サブフレームオフセット、もしくは帯域幅、またはそれらの組合せを備える。
【００２６】
上記で説明した方法、装置、および非一時的コンピュータ可読媒体のいくつかの例では、SRSは非周期的なSRSを備える。上記で説明した方法、装置、および非一時的コンピュータ可読媒体のいくつかの例は、sDCIにおいてグラントを送信するための、プロセス、特徴、手段、または命令をさらに含んでよく、SRSは、送信されたグラントに少なくとも部分的に基づいて、第1のTTI持続時間を有するTTIにおいて第1の構成に従って受信され得る。上記で説明した方法、装置、および非一時的コンピュータ可読媒体のいくつかの例は、DCIにおいてグラントを送信するための、プロセス、特徴、手段、または命令をさらに含んでよく、SRSは、送信されたグラントに少なくとも部分的に基づいて、第2のTTI持続時間を有するTTIにおいて第2の構成に従って受信され得る。
【００２７】
第1のTTI持続時間および第1のTTI持続時間よりも長い第2のTTI持続時間をサポートするシステムにおけるワイヤレス通信のための方法が説明される。方法は、第1のTTI持続時間を有するTTIにおいて送信すべきデータを識別することと、第1のTTI持続時間を有するTTI中でのデータの送信のために利用可能なリソース要素の個数を決定することと、第1のTTI持続時間を有するTTI中でのデータの送信のために利用可能なリソース要素の決定された個数に少なくとも部分的に基づいて、第1のTTI持続時間を有するTTI中でのデータの送信用のTBSを決定することとを含んでよい。
【００２８】
第1のTTI持続時間および第1のTTI持続時間よりも長い第2のTTI持続時間をサポートするシステムにおけるワイヤレス通信のための装置が説明される。装置は、第1のTTI持続時間を有するTTIにおいて送信すべきデータを識別するための手段と、第1のTTI持続時間を有するTTI中でのデータの送信のために利用可能なリソース要素の個数を決定するための手段と、第1のTTI持続時間を有するTTI中でのデータの送信のために利用可能なリソース要素の決定された個数に少なくとも部分的に基づいて、第1のTTI持続時間を有するTTI中でのデータの送信用のTBSを決定するための手段とを含んでよい。
【００２９】
第1のTTI持続時間および第1のTTI持続時間よりも長い第2のTTI持続時間をサポートするシステムにおけるワイヤレス通信のための別の装置が説明される。装置は、プロセッサと、プロセッサと電子通信しているメモリと、メモリの中に記憶された命令とを含んでよい。命令は、プロセッサに、第1のTTI持続時間を有するTTIにおいて送信すべきデータを識別することと、第1のTTI持続時間を有するTTI中でのデータの送信のために利用可能なリソース要素の個数を決定することと、第1のTTI持続時間を有するTTI中でのデータの送信のために利用可能なリソース要素の決定された個数に少なくとも部分的に基づいて、第1のTTI持続時間を有するTTI中でのデータの送信用のTBSを決定することとをさせるように動作可能であってよい。
【００３０】
第1のTTI持続時間および第1のTTI持続時間よりも長い第2のTTI持続時間をサポートするシステムにおけるワイヤレス通信のための非一時的コンピュータ可読媒体が説明される。非一時的コンピュータ可読媒体は、プロセッサに、第1のTTI持続時間を有するTTIにおいて送信すべきデータを識別することと、第1のTTI持続時間を有するTTI中でのデータの送信のために利用可能なリソース要素の個数を決定することと、第1のTTI持続時間を有するTTI中でのデータの送信のために利用可能なリソース要素の決定された個数に少なくとも部分的に基づいて、第1のTTI持続時間を有するTTI中でのデータの送信用のTBSを決定することとをさせるように動作可能な命令を含んでよい。
【００３１】
上記で説明した方法、装置、および非一時的コンピュータ可読媒体のいくつかの例では、第1のTTI持続時間を有するTTI中でのデータの送信のために利用可能なリソース要素の個数を決定することは、第2のTTI持続時間を有するTTI中の通信に関連する制御チャネルの中の制御情報のために予約され得る、第1のTTI持続時間を有するTTIにおいてリソース要素の個数を識別することを備える。
【００３２】
上記で説明した方法、装置、および非一時的コンピュータ可読媒体のいくつかの例では、制御情報のために予約され得る、第1のTTI持続時間を有するTTIにおいてリソース要素の個数を識別することは、制御情報のために予約され得る、第1のTTI持続時間を有するTTIにおいてリソース要素のデフォルトの個数を識別することを備える。上記で説明した方法、装置、および非一時的コンピュータ可読媒体のいくつかの例では、制御チャネルはPDCCHを備える。
【００３３】
上記で説明した方法、装置、および非一時的コンピュータ可読媒体のいくつかの例では、第1のTTI持続時間を有するTTI中でのデータの送信のために利用可能なリソース要素の個数を決定することは、第1のTTI持続時間を有するTTI中の通信に関連する制御チャネルの中の制御情報のために予約され得る、第1のTTI持続時間を有するTTIにおいてリソース要素の個数を識別することを備える。上記で説明した方法、装置、および非一時的コンピュータ可読媒体のいくつかの例では、制御チャネルはsPDCCHを備える。
【００３４】
上記で説明した方法、装置、および非一時的コンピュータ可読媒体のいくつかの例は、第1のTTI持続時間を有するTTI中の通信のために使用される送信モード(TM:Transmission Mode)が、セル固有基準信号(CRS:Cell-specific Reference Signal)ベースであり得るのかそれとも復調基準信号(DMRS:Demodulation Reference Signal)ベースであり得るのかを決定するための、プロセス、特徴、手段、または命令をさらに含んでよい。上記で説明した方法、装置、および非一時的コンピュータ可読媒体のいくつかの例は、TMがCRSベースであり得るのかそれともDMRSベースであり得るのかを決定することに少なくとも部分的に基づいて、送信用のTBSを決定するための、プロセス、特徴、手段、または命令をさらに含んでよい。
【図面の簡単な説明】
【００３５】
【図１】本開示の態様による、低レイテンシシステムにおけるサウンディング基準信号(SRS)構成およびトランスポートブロックサイズ(TBS)スケーリングをサポートするワイヤレス通信システムの一例を示す図である。
【図２】本開示の態様による、低レイテンシシステムにおけるSRS構成およびTBSスケーリングをサポートするワイヤレス通信システムの一例を示す図である。
【図３】本開示の態様による、低レイテンシシステムにおけるSRS構成およびTBSスケーリングをサポートするシステムにおけるSRS衝突の一例を示す図である。
【図４】本開示の態様による、低レイテンシシステムにおけるSRS構成およびTBSスケーリングをサポートするシステムにおいてトランスポートブロックを送信するために使用されるリソースブロックの一例を示す図である。
【図５】本開示の態様による、低レイテンシシステムにおけるSRS構成およびTBSスケーリングをサポートするプロセスフローの一例を示す図である。
【図６】本開示の態様による、低レイテンシシステムにおけるSRS構成およびTBSスケーリングをサポートするデバイスのブロック図である。
【図７】本開示の態様による、低レイテンシシステムにおけるSRS構成およびTBSスケーリングをサポートするデバイスのブロック図である。
【図８】本開示の態様による、低レイテンシシステムにおけるSRS構成およびTBSスケーリングをサポートするデバイスのブロック図である。
【図９】本開示の態様による、低レイテンシシステムにおけるSRS構成およびTBSスケーリングをサポートするユーザ機器(UE)を含むシステムのブロック図である。
【図１０】本開示の態様による、低レイテンシシステムにおけるSRS構成およびTBSスケーリングをサポートするデバイスのブロック図である。
【図１１】本開示の態様による、低レイテンシシステムにおけるSRS構成およびTBSスケーリングをサポートするデバイスのブロック図である。
【図１２】本開示の態様による、低レイテンシシステムにおけるSRS構成およびTBSスケーリングをサポートする基地局を含むシステムのブロック図である。
【図１３】本開示の態様による、低レイテンシシステムにおけるSRS構成およびTBSスケーリングをサポートするデバイスのブロック図である。
【図１４】本開示の態様による、低レイテンシシステムにおけるSRS構成およびTBSスケーリングをサポートするデバイスのブロック図である。
【図１５】本開示の態様による、低レイテンシシステムにおけるSRS構成およびTBSスケーリングをサポートするデバイスのブロック図である。
【図１６】本開示の態様による、低レイテンシシステムにおけるSRS構成およびTBSスケーリングをサポートするUEを含むシステムのブロック図である。
【図１７】本開示の態様による、低レイテンシシステムにおけるSRS構成およびTBSスケーリングをサポートする基地局を含むシステムのブロック図である。
【図１８】本開示の態様による、低レイテンシシステムにおけるSRS構成およびTBSスケーリングのための方法を示す図である。
【図１９】本開示の態様による、低レイテンシシステムにおけるSRS構成およびTBSスケーリングのための方法を示す図である。
【図２０】本開示の態様による、低レイテンシシステムにおけるSRS構成およびTBSスケーリングのための方法を示す図である。
【図２１】本開示の態様による、低レイテンシシステムにおけるSRS構成およびTBSスケーリングのための方法を示す図である。
【図２２】本開示の態様による、低レイテンシシステムにおけるSRS構成およびTBSスケーリングのための方法を示す図である。
【発明を実施するための形態】
【００３６】
いくつかのワイヤレス通信システムは、基地局とユーザ機器(UE)との間の異なるタイプの通信をサポートし得る。たとえば、ワイヤレス通信システムは、基地局とUEとの間の低レイテンシ通信およびモバイルブロードバンド(MBB)通信をサポートし得る。そのような異なるタイプの通信は、異なる送信時間区間(TTI)に関連することがある。たとえば、デバイスは、MBB通信のために使用されるTTIよりも短い持続時間を有するTTI中の低レイテンシ通信をサポートし得る。いくつかのワイヤレス通信システムでは、デバイスは、異なるタイプの通信に関連する異なる持続時間を有するTTIにおいて、同じ構成を使用して通信することがある。しかしながら、場合によっては、ある持続時間を有するTTIにおいて通信するために使用される構成は、異なる持続時間を有するTTIにおいて通信するのに適切でないことがある。
【００３７】
本明細書で説明するように、ワイヤレスデバイスは、異なるタイプの通信用の異なる持続時間を有するTTIにおいて異なる構成を使用して通信するための、効率的な技法をサポートし得る。いくつかの例では、UEは、基地局へ送信されるべきSRSを識別し得、UEは、SRS送信に関連する通信のタイプ、またはSRS送信のために使用されるべきTTIの持続時間に基づいて、SRSを送信するための構成を決定し得る。追加として、本明細書で説明するワイヤレス通信システムにおけるデバイスは、TTIにおいてトランスポートブロックを送信するために利用可能なリソース要素の個数に基づいて(たとえば、TTIの中のオーバーヘッドの量に基づいて)、特定の持続時間を有するTTIの中の送信用のトランスポートブロックサイズ(TBS)を決定するための、効率的な技法をサポートし得る。
【００３８】
上記で紹介した本開示の態様は、以下でワイヤレス通信システムのコンテキストで説明される。低レイテンシシステムにおけるSRS構成およびTBSスケーリングをサポートするプロセスおよびシグナリング交換の例が、次いで説明される。本開示の態様は、さらに、低レイテンシシステムにおけるSRS構成およびTBSスケーリングに関係する装置図、システム図、およびフローチャートによって図示され、それらを参照しながら説明される。
【００３９】
図1は、本開示の様々な態様による、低レイテンシシステムにおけるSRS構成およびTBSスケーリングをサポートするワイヤレス通信システム100の一例を示す。ワイヤレス通信システム100は、基地局105、UE115、およびコアネットワーク130を含む。いくつかの例では、ワイヤレス通信システム100は、ロングタームエボリューション(LTE)ネットワーク、LTEアドバンスト(LTE-A)ネットワーク、またはニューラジオ(NR)ネットワークであってよい。場合によっては、ワイヤレス通信システム100は、MBB通信または拡張MBB(eMBB)通信、超高信頼(すなわち、ミッションクリティカル)通信、低レイテンシ通信、超高信頼低レイテンシ通信(URLLC)、および低コストで低複雑度のデバイスとの通信をサポートし得る。
【００４０】
基地局105は、1つまたは複数の基地局アンテナを介してUE115とワイヤレス通信し得る。各基地局105は、それぞれの地理的カバレージエリア110に通信カバレージを提供し得る。ワイヤレス通信システム100に示される通信リンク125は、UE115から基地局105へのアップリンク送信または基地局105からUE115へのダウンリンク送信を含んでよい。制御情報およびデータは、様々な技法に従ってアップリンクチャネル上またはダウンリンク上で多重化され得る。制御情報およびデータは、たとえば、時分割多重化(TDM)技法、周波数分割多重化(FDM)技法、またはハイブリッドTDM-FDM技法を使用して、ダウンリンクチャネル上で多重化され得る。いくつかの例では、ダウンリンクチャネルのTTIにおいて送信される制御情報は、異なる制御領域の間に(たとえば、共通制御領域と1つまたは複数のUE固有制御領域との間に)カスケード方式で分散され得る。
【００４１】
UE115は、ワイヤレス通信システム100全体にわたって分散されてよく、各UE115は、固定またはモバイルであってよい。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、移動加入者局、アクセス端末、モバイル端末、ワイヤレス端末、リモート端末、ハンドセット、ユーザエージェント、モバイルクライアント、クライアント、または何らかの他の好適な用語で呼ばれることもある。UE115は、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ(WLL)局、モノのインターネット(IoT)デバイス、インターネットオブエブリシング(IoE:Internet of Everything)デバイス、マシンタイプ通信(MTC)デバイス、機器、自動車などであってよい。
【００４２】
基地局105は、コアネットワーク130と、また互いに通信し得る。たとえば、基地局105は、バックホールリンク132(たとえば、S1など)を通じてコアネットワーク130とインターフェースし得る。基地局105は、バックホールリンク134(たとえば、X2など)を介して、直接または間接的に(たとえば、コアネットワーク130を通じて)のいずれかで互いに通信し得る。基地局105は、UE115との通信のための無線構成およびスケジューリングを実行し得るか、または基地局コントローラ(図示せず)の制御下で動作し得る。いくつかの例では、基地局105は、マクロセル、スモールセル、ホットスポットなどであってよい。基地局105は、発展型ノードB(eNB)105と呼ばれることもある。
【００４３】
LTEまたはNRにおける時間区間は、(Ts=1/30,720,000秒というサンプリング期間であり得る)基本時間単位の倍数で表現され得る。時間リソースは、0から1023までを範囲とするシステムフレーム番号(SFN:System Frame Number)によって識別され得る、10ms(Tf=307200Ts)という長さの無線フレームに従って編成され得る。各フレームは、0から9まで番号付けされた10個の1msサブフレームを含んでよい。サブフレームは、(各シンボルの前に付加されたサイクリックプレフィックスの長さに応じて)その各々が6個または7個の変調シンボル期間を含む、2つの0.5msスロットにさらに分割され得る。サイクリックプレフィックスを除いて、各シンボルは2048個のサンプル期間を含む。いくつかの場合には、サブフレームは、TTIとも呼ばれる最小スケジューリング単位であってよい。他の場合には、TTIは、サブフレームよりも短くてよく、または(たとえば、ショートTTIバーストにおいて、または(短縮TTI(sTTI)などの)ショートTTIを使用する選択されたコンポーネントキャリアにおいて)動的に選択されてよい。
【００４４】
ワイヤレス通信システム100では、TTIは、基地局105がアップリンク送信またはダウンリンク送信のためにUE115をスケジュールし得る時間の最小単位として定義され得る。一例として、基地局105は、UE115とのダウンリンク通信のために1つまたは複数のTTIを割り振ってよい。UE115は、次いで、基地局105からダウンリンク信号を受信するために、1つまたは複数のTTIを監視し得る。いくつかのワイヤレス通信システム(たとえば、LTE)では、サブフレームは、スケジューリングまたはTTIの基本単位であってよい。低レイテンシ動作を伴うような他の場合には、持続時間が低減された異なるTTI(たとえば、ショートTTI)が使用され得る(たとえば、ミニスロット)。ワイヤレス通信システム100は、LTEおよびNRに関連する他のタイプの通信に加えて、URLLC通信およびMBB通信を容易にするものを含む様々なTTI持続時間を採用し得る。
【００４５】
リソース要素は、1つのシンボル期間および1つのサブキャリア(たとえば、15kHz周波数範囲)からなり得る。場合によっては、システム内で採用されるヌメロロジー(すなわち、シンボルサイズ、サブキャリアサイズ、またはTTI持続時間)は、通信のタイプに基づいて選択または決定され得る。ヌメロロジーは、たとえば、低レイテンシ適用例のためのレイテンシと他の適用例のための効率との間の固有のトレードオフに鑑みて、選択または決定されてよい。場合によっては、MBB通信に対して割り振られるタイムスロットの持続時間は、URLLCに対して割り振られるタイムスロットの持続時間よりも長くてよい。URLLCに対して割り振られるタイムスロットは、ミニスロットと呼ばれることがある。
【００４６】
ワイヤレス通信システム100では、UE115は、SRSを基地局105へ送信するように構成されてよく、基地局105は、チャネル品質を推定するためにSRSを使用し得る。上記で説明したように、ワイヤレス通信システムは、第1のTTI持続時間を有するTTI中の低レイテンシ通信、および第2のTTI持続時間を有するTTI中のMBB通信をサポートし得る。いくつかの態様では、基地局105は、SRS送信に関連する通信のタイプにかかわらず同じ構成を使用してSRSを送信するように、UE115を構成し得る。しかしながら、場合によっては、異なるタイプの通信に関連するSRS送信に対する同じ構成の使用は非効率であり得る。たとえば、そのような場合、UE115は、SRS送信にとって小さすぎる電力を利用することがあり、基地局105は、正確なチャネル推定値をSRSに基づいて決定できないことがある。代替として、UE115は、UE115のバッテリー寿命に有害であり得る、SRS送信にとって過大な電力を使用することがある。ワイヤレス通信システム100は、SRS送信に関連する通信のタイプに基づいて、SRS送信に対してUE115を適切に構成するための、効率的な技法をサポートし得る。
【００４７】
さらに、いくつかのワイヤレス通信システムでは、ワイヤレスデバイス(たとえば、基地局105またはUE115)は、トランスポートブロックを受信デバイスへ送信するようにスケジュールされ得る。そのようなシステムでは、ワイヤレスデバイスは、トランスポートブロックが送信されるようにスケジュールされるTTIにおいてリソースブロックの個数に基づいて、トランスポートブロック用のTBSを決定し得る。たとえば、ワイヤレスデバイスが、(たとえば、MBB通信のために)サブフレームにおいてトランスポートブロックを送信するようにスケジュールされるとき、ワイヤレスデバイスは、サブフレームの中のリソースブロックの個数に基づいて、トランスポートブロック用のTBSを決定し得る。代替として、ワイヤレスデバイスが、sTTI(たとえば、低レイテンシ通信用の1スロットsTTI)においてトランスポートブロックを送信するようにスケジュールされるとき、ワイヤレスデバイスは、sTTIの中のリソースブロックの個数(たとえば、1スロットsTTIに対するサブフレームの中のリソースブロックの個数の半分)に基づいて、トランスポートブロック用のTBSを決定し得る。
【００４８】
しかしながら、場合によっては、異なるスロットに関連するオーバーヘッドは異なることがある。すなわち、たとえば、異なる個数のリソースブロックが、異なるスロットにおいて制御情報または基準信号(たとえば、復調基準信号(DMRS)またはセル固有基準信号(CRS))のために使用され得るので、異なるスロットは、データのために利用可能な異なる個数のリソースブロックを含むことがある。したがって、TBSを決定するためにスロットの中のリソースブロックの個数(たとえば、サブフレームの中のリソースブロックの半分)を使用するための技法は、不正確かつ非効率であり得る。ワイヤレス通信システム100は、sTTIにおいて送信されるべきトランスポートブロックのTBSを決定するための、効率的な技法をサポートし得る。たとえば、デバイスは、sTTIにおいてトランスポートブロックを送信するために利用可能なリソース要素の個数を(たとえば、sTTIの中のオーバーヘッドに基づいて)識別し得、デバイスは、決定されたTBSに従ってトランスポートブロックを送信し得る。
【００４９】
図2は、本開示の様々な態様による、低レイテンシシステムにおけるSRS構成およびTBSスケーリングをサポートするワイヤレス通信システム200の一例を示す。ワイヤレス通信システム200は、ワイヤレス通信システム100の態様を実施し得る。ワイヤレス通信システム200は、図1を参照しながら説明した対応するデバイスの例であってよい基地局105-aおよびUE115-aを含んでよい。いくつかの例では、基地局105-aは、地理的カバレージエリア205内で1つまたは複数のUE115と通信していてよい。たとえば、基地局105-aは、キャリア210のリソース上でUE115-aと通信していてよい。
【００５０】
基地局105-aおよびUE115-aは、MBB通信および低レイテンシ通信などの異なるタイプの通信をサポートし得る。いくつかの例では、異なるタイプの通信は、異なる持続時間を有するTTIに関連し得る。たとえば、MBB通信に対応するTTIは、低レイテンシ通信に対応するTTI(たとえば、0.5ms)よりも長い持続時間(たとえば、1ms)を有してよい。本明細書で説明するように、基地局105-aおよびUE115-aは、異なる持続時間を有するTTI中の異なるタイプの通信に対して異なって構成され得る。
【００５１】
場合によっては、UE115-aとの通信に対してどのリソースを割り振るべきであるのかを決定するために、基地局105-aがチャネルの品質を推定することが適切であり得る。したがって、基地局105-aは、チャネルの品質を推定するために使用され得るSRSを送信するようにUE115-aを構成してよい。詳細には、本明細書で説明するように、基地局105-aは、第1のTTI持続時間を有するTTI中のSRS送信に対して(すなわち、低レイテンシ通信に対して)第1の構成を用いて、また第2のTTI持続時間を有するTTI中のSRS送信に対して(すなわち、MBB通信に対して)第2の構成を用いて、UE115-aを構成してよい。基地局105-aは、異なる構成の表示を構成メッセージ215においてUE115-aへ送信してよい。
【００５２】
一例として、基地局は、異なるタイプの通信に関連するSRS送信にとって適切な送信電力をUE115-aが決定することを可能にするために、第1の送信電力構成および第2の送信電力構成をUE115-aへ送信してよい。いくつかの例では、UE115-aは、SRS送信に対する送信電力を次式に基づいて決定し得る。
【００５３】
【数１】
2020519110.tif 000003
上の式において、PSRS,c(i)は、セルcの中の送信に対するSRS電力を表してよく、PCMAX,c(i)、PSRS,OFFSET,c(m)は、それぞれ最大送信電力およびSRSオフセットに対応する開ループパラメータであってよく、(MSRS,c)は、SRS送信に対応する帯域幅を表す開ループパラメータであってよく、
【数２】
2020519110.tif 000004
は、上位レイヤシグナリングに基づいて決定される追加の開ループパラメータであってよく、fc(i)は、サービングセルcに対する現在のPUSCH電力制御調整状態を表す閉ループパラメータであってよい。
【００５４】
基地局105-aは、異なるタイプの通信に関連するSRS送信に対してパラメータの異なるセット(たとえば、送信電力制御(TPC:Transmit Power Control)コマンドの中の開ループパラメータおよび閉ループパラメータ)の表示をそのように送信し得る。UE115-aは、次いで、SRS220を送信するために使用されるべきTTIの持続時間(または、SRS送信に関連する通信のタイプ)に基づいて、SRS送信にとって適切な送信電力を決定できる場合がある。たとえば、UE115-aは、特定の持続時間を有するTTIの中のSRS送信に対して基地局105-aから受信された開ループパラメータに基づいて、かつ特定の持続時間を有するTTIにおいて送信されるようにSRSがスケジュールされていることに基づいて(すなわち、UE115-aによって)選択された閉ループパラメータに基づいて、特定の持続時間を有するTTIの中のSRS送信に対する送信電力を決定し得る。いくつかの例では、UE115-aは、PUSCH送信のために使用される閉ループパラメータに基づいて、TTIの中のSRS送信に対する電力を決定するための(たとえば、PUSCH送信のために使用される閉ループパラメータと同じ)閉ループパラメータを選択し得、UE115-aは、sPUSCH送信のために使用される閉ループパラメータに基づいて、sTTIの中のSRS送信に対する電力を決定するための(たとえば、sPUSCH送信のために使用される閉ループパラメータと同じ)閉ループパラメータを選択し得る。
【００５５】
上述のように、低レイテンシ通信に対して、SRS送信のために使用される送信電力は、TPCコマンドにおいて、たとえば、アップリンクグラントにおいて受信されたパラメータに基づいて調整され得る。しかしながら、場合によっては、UE115-aは、サブフレームの最後のシンボルにおいてSRSを送信するように構成されてよい。そのような場合、UE115-aは、同じSRS送信を構成するために使用される複数の送信電力構成を、複数のsTTIにおいて受信することがある。一例では、UE115-aは、複数の送信電力構成において受信されたパラメータの蓄積に基づいてSRS送信用の構成を決定してよい。
【００５６】
別の例では、UE115-aは、複数のsTTIにおいて受信された送信電力構成のうちの1つに基づいてSRS用の構成を決定してよい。たとえば、UE115-aは、最大送信電力を示す構成または最小送信電力を示す構成に基づいてSRS用の構成を決定してよい。さらに、UE115-aは、複数の送信電力構成において示される送信電力の平均に基づいてSRS用の構成を決定してよい。また別の例では、複数の送信電力構成は同じであってよく、UE115-aは、単一の送信電力構成に基づいてSRS送信用の構成を決定してよい。
【００５７】
いくつかの場合には、UE115-aによって送信されるSRSは、異なるタイプの通信に対するチャネル推定のための周期的なSRS220であってよい。そのような場合、UE115-aは、いくつかのタイプの通信に対応する周期的なSRS送信に対する送信電力を、そのタイプの通信に関連する構成に基づいて決定し得る。SRS送信に対する送信電力を決定するためのパラメータに加えて、基地局105-aは、異なるタイプの通信に対する異なる周期性、サブフレームオフセット、SRS帯域幅などを用いてUE115-aを構成し得る。さらに、基地局105-aは、サブフレーム内でSRS送信と衝突することを回避するために、異なるタイプの通信に関連するSRS送信に対するサブフレームオフセットを構成し得る。
【００５８】
他の場合には、UE115-aによって送信されるSRSは、非周期的なSRS220であってよい。そのような場合、基地局105-aは、UE115-aからのSRS送信をトリガするためのグラント(たとえば、アップリンクグラントまたはダウンリンクグラント)を送信してよい。したがって、UE115-aが、MBB通信のためのSRS送信をトリガするグラントを受信すると、UE115-aは、MBB通信に関連するSRS送信に対して構成されたパラメータに基づいてSRS送信用の構成(たとえば、送信電力)を決定してよい。同様に、UE115-aが、低レイテンシ通信のためのSRS送信をトリガするグラントを受信すると、UE115-aは、低レイテンシ通信に関連するSRS送信に対して構成されたパラメータに基づいてSRS送信用の構成(たとえば、送信電力)を決定してよい。
【００５９】
図3は、本開示の様々な態様による、低レイテンシシステムにおけるSRS構成およびTBSスケーリングをサポートするシステムにおける、リソースブロック300におけるSRS衝突の一例を示す。図示したように、UE115は、複数のSRS送信(たとえば、複数の非周期的なSRS、複数の周期的なSRS、または複数の非周期的なSRSおよび周期的なSRS)を同時に送信するように構成され得る。詳細には、UE115は、サブフレーム305のシンボル13において、周波数帯域310を介したMBB通信のための第1のSRS315、および周波数帯域310の一部分を介した低レイテンシ通信のための(第1のSRS315とオーバーラップする)第2のSRS320を送信するように構成され得る。そのような場合、異なるタイプの通信のためのSRS送信は、(たとえば、1つのキャリアまたは複数のキャリアにわたって)衝突することがある。本明細書で説明する技法により、UE115がSRS送信の衝突を処理することが可能になる。
【００６０】
詳細には、基地局105は、SRS送信の衝突があるとき、どのSRSを(もしあれば)送信すべきであるのかを決定するように、UE115を構成し得る。一例では、基地局105は、異なるタイプの通信のためのSRS送信に関連する異なる優先度の表示をUE115へ送信してよい。したがって、UE115がSRS送信の衝突を識別すると、UE115は、どのSRSを送信すべきであるのかを決定できる場合がある。たとえば、低レイテンシ通信のための第2のSRS320の送信が、MBB通信のための第1のSRS315の送信よりも高い優先度に関連する場合、UE115は、低レイテンシ通信のための第2のSRS320を送信してよく、MBB通信のための第1のSRS315を送信することを控えてよい。
【００６１】
UE115はまた、どのSRSを(もしあれば)送信すべきであるのかを、他の要因に基づいて決定し得る。たとえば、UE115は、どのSRSを(もしあれば)送信すべきであるのかを、UE115における電力制約、各SRS送信用の帯域幅がオーバーラップする程度などに基づいて決定し得る。いくつかの例では、UE115が電力制約を有すること、および/または異なるSRS送信用の帯域幅が(図示のように)オーバーラップすることを、UE115が識別する場合、UE115は、(たとえば、異なるSRS送信の優先度に基づいて)SRSのうちの1つを送信することを控えるべきであると決定してよい。他の例では、UE115が電力制約を有しないこと、および/または異なるSRS送信用の帯域幅がオーバーラップしない(図示せず)ことを、UE115が決定する場合、UE115は、両方のSRSを送信すべきであると決定してよい。また他の例では、SRS送信がキャリアの1つのサブフレーム内で衝突することを、UE115が決定する場合、UE115は、両方のSRSを送信することを控えるべきであると決定してよい。
【００６２】
さらに、第1のSRS315(たとえば、1msのSRS)が、同じセル上の第2のSRS320(たとえば、sTTI SRS)と衝突することを、UE115が識別する場合、UE115は、(たとえば、第1のSRS315および第2のSRS320の優先度を比較することに基づいて、またはUE115における構成に基づいて)第1のSRS315または第2のSRS320を欠落させてよい。いくつかの場合には、第1のSRS315が異なるセル上の第2のSRS320と衝突することをUE115が識別し、かつUE115が同時SRS送信が可能でない場合、UE115は、第1のSRS315または第2のSRS320を欠落させてよい。他の場合には、第1のSRSが異なるセル上の第2のSRS320と衝突することをUE115が識別し、かつUE115が同時SRS送信が可能であるがUE115が電力制限されている場合、UE115は、第1のSRS315または第2のSRS320を欠落させてよい。追加として、いくつかの態様では、UE115は、第1のSRS315がタイプ0のSRS(たとえば、周期的なSRSまたは単一のSRS)であるのか、それともタイプ1のSRS(たとえば、非周期的なSRS)であるのかに基づいて、第1のSRS315を欠落させるべきか、それとも第2のSRS320を欠落させるべきかを決定し得る。
【００６３】
場合によっては、第1のSRS315(たとえば、1msのSRS)が、ある個数のシンボル(たとえば、4つのシンボル)において送信されるようにスケジュールされ、かつ第1のSRS315が、異なる個数のシンボル(たとえば、2つのシンボル)において送信されるようにスケジュールされた第2のSRS320(たとえば、sTTI SRSまたはsSRS)と衝突することを、UE115が識別する場合、UE115は、本明細書で説明する技法を使用して、第1のSRS315または第1のSRS315の一部分を欠落させるべきか、それとも第2のSRS320または第2のSRS320の一部分を欠落させるべきかを決定してよい。たとえば、第1のSRS315を送信するために割り振られたシンボルの一部分が、第2のSRS320を送信するために割り振られたシンボルとオーバーラップするとき、UE115は、オーバーラップするシンボルの中の第1のSRS315の送信を欠落させること、すべてのシンボルの中の第1のSRS315の送信を欠落させること、または第2のSRS320の送信を欠落させることのうちのいずれかを行うように構成され得る。代替として、第2のSRS320を送信するために割り振られたシンボルの一部分が、第1のSRS315を送信するために割り振られたシンボルとオーバーラップするとき、UE115は、オーバーラップするシンボルの中の第2のSRS320の送信を欠落させること、すべてのシンボルの中の第2のSRS320の送信を欠落させること、または第1のSRS315の送信を欠落させることのうちのいずれかを行うように構成され得る。
【００６４】
図4は、本開示の様々な態様による、低レイテンシシステムにおけるSRS構成およびTBSスケーリングをサポートするシステムにおいてトランスポートブロックを送信するために使用されるリソースブロック400の一例を示す。詳細には、リソースブロック400は、ワイヤレス通信システムにおける制御およびデータシグナリングのために使用され得る。ワイヤレス通信システムは、データ送信用のTBSを決定するための本明細書で説明する技法をサポートし得る。場合によっては、TBSは、TBSテーブルの中でTBSに対応するTBSインデックスに基づいて決定され得る。TBSインデックスは、変調およびコーディング方式(MCS)ならびにデータ送信のために使用されるべきリソースブロックの個数の、関数に基づいて決定され得る。本明細書で説明する技法を使用すると、デバイス(たとえば、基地局105またはUE115)は、データ送信のために利用可能なリソースブロックの適切な個数を決定できる場合があり、デバイスは、適切なTBSを決定するためにこの情報を使用し得る。
【００６５】
本明細書で説明する技法を使用すると、基地局105およびUE115は、sTTI410(たとえば、1スロットsTTI410)におけるオーバーヘッドに基づいて、低レイテンシ送信のために利用可能なリソースブロックの個数を決定し得る。場合によっては、サブフレーム405の第1のスロット410-a(たとえば、サブフレームのスロット0)の最初の部分(たとえば、2つのシンボル)は、MBB通信用の制御情報に対して(たとえば、PDCCH415として)割り振られてよく、この部分におけるリソースブロックは、データ425の送信のために利用できないことがある。したがって、デバイスは、sTTI410-aの残りの部分におけるリソースブロックの個数に基づいて、データ425の送信のために利用可能なリソースブロックの個数を決定し得る。
【００６６】
場合によっては、PDCCH415として割り振られるシンボルの個数は、TTIにわたって変わることがある。そのような場合、デバイスは、デフォルトの個数のシンボルがPDCCHに対して割り振られることを決定し得、デバイスは、デフォルトのオーバーヘッドに基づいて、データ425の送信のために利用可能なリソースブロックの個数を決定し得る。詳細には、PDCCH415に対して割り振られるシンボルのデフォルトの個数が2個(たとえば、シンボル0および1)である場合、デバイスは、たとえば、次式に基づいて、スロット410-aの中の残りの5つのシンボルがデータ送信のために利用可能であることを決定し得る。
【００６７】
【数３】
2020519110.tif 000005
ただし、
【数４】
2020519110.tif 000006
は、サブフレーム内のリソースブロックの個数に相当し、スケーリング係数は、前の例では5に相当する。他の例では、デバイスは、次式に基づいて、スロット(または、sTTI)の中のデータのために利用可能なリソースブロックの個数を決定し得る。
【００６８】
【数５】
2020519110.tif 000007
ただし、
【数６】
2020519110.tif 000008
は、スロット(または、sTTI)におけるリソースブロックの個数に相当し、スケーリング係数は、前の例では5に相当する。デバイスは、次いで、データのために利用可能なリソースブロックの個数に基づいて、トランスポートブロック用のTBSを(たとえば、上記で説明したTBSテーブルを使用して)決定し得る。
【００６９】
追加として、サブフレーム405の第2のスロット410-b(たとえば、サブフレームのスロット1)の最初の部分は、低レイテンシ通信用の制御情報に対して(たとえば、sPDCCH420として)割り振られてよく、この部分におけるリソースブロックは、データ425の送信のために利用できないことがある。したがって、デバイスは、sTTI410-bの残りの部分におけるリソースブロックの個数に基づいて、データ425の送信のために利用可能なリソースブロックの個数を決定し得る。したがって、上記で説明したスケーリング係数は、sPDCCH420に対して割り振られたシンボルの個数(たとえば、1シンボルsPDCCHに対して6個、また2シンボルsPDCCHに対して5個)に基づいて決定され得る。代替として、デバイスは、デフォルトの個数(たとえば、1つ)のシンボルがsPDCCH420に対して割り振られることを決定し得、デバイスは、デフォルトのオーバーヘッドに基づいて、利用可能なリソースブロックの個数を決定し得る。
【００７０】
制御オーバーヘッドに基づいてデータ425の送信のために利用可能なリソースブロックの個数を決定することに加えて、デバイスは、データ425の送信のために使用されるべき送信モード(TM)に基づいて(たとえば、基準信号オーバーヘッドに基づいて)、リソースブロックの個数を決定し得る。たとえば、CRSベースのTMがデータ425の送信のために使用されるべきである場合、デバイスは、リソースブロックにおいてCRSを送信するために使用されるリソース要素の個数に基づいて、データ送信のために利用可能なリソースブロックの個数を決定してよい。代替として、DMRSベースのTMがデータ425の送信のために使用されるべきである場合、デバイスは、リソースブロックにおいてDMRSを送信するために使用されるリソース要素の個数に基づいて、データ送信のために利用可能なリソースブロックの個数を決定してよい。TBSを決定するための本明細書で説明する技法は、LTE-FDDと、LTE-TDDにおけるダウンリンクサブフレームおよびアップリンクサブフレームの両方に適用されてよい。
【００７１】
さらに、図4を参照しながら説明した例は、1スロットsTTI(たとえば、スロット410-aまたはスロット410-b)において送信されるべきトランスポートブロック用のTBSを決定することに関係するが、上記で説明した技法はまた、2シンボルsTTIまたは3シンボルsTTIにおいて送信されるべきトランスポートブロック用のTBSを決定することに適用される。2シンボルsTTIの場合、デバイスは、データのために利用可能なシンボルの個数を(たとえば、制御情報送信または基準信号送信のために使用されるシンボルの個数に基づいて)決定し得、デバイスは、2シンボルsTTIの中のデータのために利用可能なシンボルの個数に基づいて、2シンボルsTTIにおいて送信されるべきトランスポートブロック用のTBSを決定し得る。同様に、3シンボルsTTIの場合、デバイスは、データのために利用可能なシンボルの個数を(たとえば、制御情報送信または基準信号送信のために使用されるシンボルの個数に基づいて)決定し得、デバイスは、3シンボルsTTIの中のデータのために利用可能なシンボルの個数に基づいて、3シンボルsTTIにおいて送信されるべきトランスポートブロック用のTBSを決定し得る。
【００７２】
図5は、本開示の様々な態様による、低レイテンシシステムにおけるSRS構成およびTBSスケーリングをサポートするプロセスフロー500の一例を示す。いくつかの例では、プロセスフロー500は、ワイヤレス通信システム100および200の態様を実施し得る。プロセスフロー500は、図1および図2を参照しながら説明した対応するデバイスの例であってよい基地局105-bおよびUE115-bを含む。基地局105-bおよびUE115-bは、(たとえば、低レイテンシ通信のための)第1のTTI持続時間を有するTTIにおいて、また(たとえば、MBB通信のための)第2のTTI持続時間を有するTTIにおいて通信し得る。
【００７３】
505において、基地局105-bは、第1のTTI持続時間を有するTTI中のSRS送信用の第1の構成の表示、および第2のTTI持続時間を有するTTI中のSRS送信用の第2の構成の表示を送信し得る。一例では、基地局105-bは、それぞれのTTIの中のSRS送信に対する電力制御調整状態を確立するために、TPCコマンドを有するダウンリンク制御情報(DCI)またはショートDCI(sDCI)メッセージを送信し得る。同様に、基地局105-bは、開ループ電力制御を伴う使用のための異なるTTIに対するSRS帯域幅を示すために、上述のMSRSパラメータをシグナリングし得る。UE115-bは、第1のTTI持続時間を有するTTI中のSRS送信用の第1の構成の表示、および第2のTTI持続時間を有するTTI中のSRS送信用の第2の構成の表示を受信し得、それらを別個に追跡および保持し得る。
【００７４】
510において、UE115-bは、TTIにおいて送信されるべきSRSを(たとえば、基地局105-bからグラントを受信することに基づいて)識別し得る。515において、UE115-bは、第1のTTI持続時間または第2のTTI持続時間のいずれかを有するTTIに基づいて、SRS用の構成を決定し得る。たとえば、UE115-bは、PUSCH(または、(たとえば、ダウンリンクグラントによってSRS送信がトリガされるときに)アップリンクデータを有しない別のチャネル)、またはsPUSCH(または、(たとえば、ダウンリンクグラントによってSRS送信がトリガされるときに)アップリンクデータを有しない別の短縮チャネル)においてSRS送信がスケジュールされていることに基づいて、SRS用の構成を決定し得る。追加または代替として、UE115-bは、第1のTTI持続時間または第2のTTI持続時間のいずれかを有する、グラントが受信されたTTIに基づいて、SRS用の構成を決定し得る。たとえば、(たとえば、サブフレームの最初のスロットの中などでPDCCHがsPDCCHとオーバーラップする場合に、およびsDCIがPDCCHの中のDCIとは異なるフォーマットを有する場合に)sPDCCHの中のsDCIトリガまたはPDCCHの中のsDCIトリガに基づいて非周期的なSRSが識別される場合、UE115-bは第1のSRS構成を使用し得るが、PDCCHの中のDCIトリガに基づいて非周期的なSRSが識別される場合、UE115-bは第2のSRS構成を利用し得る。
【００７５】
同様に、特定のTTIまたはサービスのタイプ(たとえば、低レイテンシサービス)に対して周期的なSRSが送信されるべきである場合、UE115-bは、送信電力およびSRS送信用の他の構成を決定するために、対応するSRS構成を使用し得る。場合によっては、SRS用の構成は、505において受信された構成表示に基づいて決定されてよい。いくつかの例では、UE115-bは、TTIが第1のTTI持続時間を有するときには第1の構成に従って、またTTIが第2のTTI持続時間を有するときには第2の構成に従って、SRS用の送信電力構成を決定し得る。UE115-bは、第1のTTI持続時間または第2のTTI持続時間のいずれかを有するTTIに対応する、閉ループ電力パラメータ、または開ループ電力パラメータのセットのうちの少なくとも1つを受信し得る。
【００７６】
UE115-bは、次いで、送信電力構成を決定するために、閉ループ電力パラメータおよび開ループ電力パラメータを使用し得る。場合によっては、閉ループ電力パラメータは、第1のTTI持続時間または第2のTTI持続時間のいずれかを有するTTIに対応する電力制御調整状態であってよい。開ループパラメータのセットは、第1のTTI持続時間または第2のTTI持続時間のいずれかを有するTTIに対応するとともに、SRSを送信するために使用される、最大送信電力、SRSオフセット、もしくは帯域幅、またはそれらの組合せを含んでよい。
【００７７】
いくつかの例では、UE115-bは、第1のTTI持続時間を有する第1のTTI中の第1のSRS送信と第2のTTI持続時間を有する第2のTTI中の第2のSRS送信との間の衝突を識別し得る。したがって、UE115-bは、第1のSRSを送信すべきか、第2のSRSを送信すべきか、SRSを送信すべきでないか、それとも両方のSRSを送信すべきかを決定し得る。505において受信される構成表示は、第1のTTI持続時間を有するTTI中のSRS送信に対する第1の優先度、および第2のTTI持続時間を有するTTI中のSRS送信に対する第2の優先度を示してよい。したがって、UE115-bは、第1の優先度を第2の優先度と比較することに基づいて、第1のSRSを送信すべきか、第2のSRSを送信すべきか、それともその両方を送信すべきかを決定し得る。
【００７８】
場合によっては、UE115-bは、電力制約に少なくとも部分的に基づいて、第1のSRSを送信すべきか、第2のSRSを送信すべきか、それともその両方を送信すべきかを決定し得る。さらに、UE115-bは、第1のSRSに関連する第1の帯域幅が第2のSRSに関連する第2の帯域幅とオーバーラップするかどうかに少なくとも部分的に基づいて、第1のSRSを送信すべきか、第2のSRSを送信すべきか、それともその両方を送信すべきかを決定し得る。いくつかの例では、UE115-bは、第1のSRSおよび第2のSRSを同時に送信し得る。他の例では、UE115-bは、第1のSRSおよび第2のSRSを送信することを控え得る。
【００７９】
520において、UE115-bは、決定された構成に少なくとも部分的に基づいてSRSを送信し得る。520においてSRSを受信した後、525において、基地局105-bは、TTIにおいてデータを送信するために使用されるチャネルのチャネル品質を、SRSに基づいて決定し得る。チャネル品質(または、チャネル品質推定値)に基づいて、基地局105-bは、高品質に関連するリソースをアップリンク送信のためにUE115-bに割り振ってよい。したがって、異なるタイプの通信に関連する異なる持続時間を有するTTIにおいて送信されるようにスケジュールされたSRSが、異なってトリガされてよく、異なる構成を使用して送信されてよいので、SRS送信は信頼でき効率的であり得る。
【００８０】
効率的なSRS送信をサポートするための上記で説明した技法に加えて、UE115-bは、基地局105-bへのTTI中のアップリンク送信用のTBSを決定するために、本明細書で説明する他の技法を使用し得る。詳細には、UE115-bは、第1のTTI持続時間を有するTTIにおいて送信すべきデータを識別し得、第1のTTI持続時間を有するTTI中でのデータの送信のために利用可能なリソース要素の個数を決定し得、TTI中でのデータの送信のために利用可能なリソース要素の決定された個数に基づいて、第1のTTI持続時間を有するTTI中でのデータの送信用のTBSを決定し得る。
【００８１】
いくつかの場合には、UE115-bは、第2のTTI持続時間を有するTTI中の通信に関連する制御チャネル(たとえば、PDCCH)の中の制御情報のために予約されている、第1のTTI持続時間を有するTTIにおいてリソース要素の個数を識別することによって、利用可能なリソース要素の個数を決定し得る。一例では、UE115-bは、制御情報のために予約されている、第1のTTI持続時間を有するTTIにおいてリソース要素のデフォルトの個数を識別し得る。他の場合には、UE115-bは、第1のTTI持続時間を有するTTI中の通信に関連する制御チャネル(たとえば、sPDCCH)の中の制御情報のために予約されている、第1のTTI持続時間を有するTTIにおいてリソース要素の個数を識別することによって、利用可能なリソース要素の個数を決定し得る。
【００８２】
追加として、UE115-bは、第1のTTI持続時間を有するTTI中の通信のために使用されるTMがCRSベースであるのかそれともDMRSベースであるのかを決定し得、UE115-bは、TMがCRSベースであるのかそれともDMRSベースであるのかを決定することに基づいて、送信用のTBSを決定し得る。上記で説明した技法はUE115-bが送信用のTBSを決定する観点から説明されるが、基地局105-b(および、他のデバイス)が、送信用のTBSを決定するために、上記で説明した技法を適用し得る。
【００８３】
図6は、本開示の様々な態様による、低レイテンシシステムにおけるSRS構成およびTBSスケーリングをサポートするワイヤレスデバイス605のブロック図600を示す。ワイヤレスデバイス605は、本明細書で説明するようなUE115の態様の一例であってよい。ワイヤレスデバイス605は、受信機610、UE通信マネージャ615、および送信機620を含んでよい。ワイヤレスデバイス605はまた、プロセッサを含んでよい。これらの構成要素の各々は、(たとえば、1つまたは複数のバスを介して)互いに通信していてよい。
【００８４】
受信機610は、パケット、ユーザデータ、または様々な情報チャネル(たとえば、制御チャネル、データチャネル、ならびに低レイテンシシステムにおけるSRS構成およびTBSスケーリングに関係する情報など)に関連する制御情報などの、情報を受信し得る。情報は、デバイスの他の構成要素に渡されてよい。受信機610は、図9を参照しながら説明するトランシーバ935の態様の一例であってよい。受信機610は、単一のアンテナまたはアンテナのセットを利用し得る。
【００８５】
UE通信マネージャ615は、図9を参照しながら説明するUE通信マネージャ915の態様の一例であってよい。UE通信マネージャ615および/またはその様々なサブコンポーネントのうちの少なくともいくつかは、ハードウェア、プロセッサによって実行されるソフトウェア、ファームウェア、またはそれらの任意の組合せで実装され得る。プロセッサによって実行されるソフトウェアで実装される場合、UE通信マネージャ615および/またはその様々なサブコンポーネントのうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示で説明する機能を実行するように設計されたそれらの任意の組合せによって実行され得る。
【００８６】
いくつかの例では、UE通信マネージャ615および/またはその様々なサブコンポーネントのうちの少なくともいくつかは、機能の部分が1つまたは複数の物理デバイスによって異なる物理的ロケーションにおいて実装されるように分散されることを含めて、様々な位置に物理的に配置されてよい。いくつかの例では、UE通信マネージャ615および/またはその様々なサブコンポーネントのうちの少なくともいくつかは、本開示の様々な態様による別個の異なる構成要素であってよい。他の例では、UE通信マネージャ615および/またはその様々なサブコンポーネントのうちの少なくともいくつかは、限定はしないが、I/O構成要素、トランシーバ、ネットワークサーバ、別のコンピューティングデバイス、本開示で説明する1つもしくは複数の他の構成要素、または本開示の様々な態様によるそれらの組合せを含む、1つまたは複数の他のハードウェア構成要素と組み合わせられてよい。
【００８７】
UE通信マネージャ615は、DCIまたはsDCIにおいてグラントを受信し得、グラントを受信することに少なくとも部分的に基づいて、送信されるべきSRSを識別し得、グラントがDCIまたはsDCIにおいて受信されることに基づいて、SRS用の構成を決定し得る。UE通信マネージャ615は、次いで、構成に基づいて、第1のTTI持続時間を有するTTI中または第2のTTI持続時間を有するTTIにおいてSRSを送信するために、送信機620と協調し得る。
【００８８】
送信機620は、デバイスの他の構成要素によって生成された信号を送信し得る。いくつかの例では、送信機620は、トランシーバモジュールにおいて受信機610と一緒に置かれてよい。たとえば、送信機620は、図9を参照しながら説明するトランシーバ935の態様の一例であってよい。送信機620は、単一のアンテナまたはアンテナのセットを利用し得る。
【００８９】
図7は、本開示の様々な態様による、低レイテンシシステムにおけるSRS構成およびTBSスケーリングをサポートするワイヤレスデバイス705のブロック図700を示す。ワイヤレスデバイス705は、図6を参照しながら説明したようなワイヤレスデバイス605またはUE115の態様の一例であってよい。ワイヤレスデバイス705は、受信機710、UE通信マネージャ715、および送信機720を含んでよい。UE通信マネージャ715は、図9を参照しながら説明するUE通信マネージャ915の態様の一例であってよい。UE通信マネージャ715は、グラントマネージャ725、SRS識別器730、およびSRS構成マネージャ735を含んでよい。ワイヤレスデバイス705はまた、プロセッサを含んでよい。これらの構成要素の各々は、(たとえば、1つまたは複数のバスを介して)互いに通信していてよい。
【００９０】
受信機710は、パケット、ユーザデータ、または様々な情報チャネル(たとえば、制御チャネル、データチャネル、ならびに低レイテンシシステムにおけるSRS構成およびTBSスケーリングに関係する情報など)に関連する制御情報などの、情報を受信し得る。情報は、デバイスの他の構成要素に渡されてよい。受信機710は、図9を参照しながら説明するトランシーバ935の態様の一例であってよい。受信機710は、単一のアンテナまたはアンテナのセットを利用し得る。
【００９１】
グラントマネージャ725は、DCIまたはsDCIにおいてグラントを受信し得る。SRS識別器730は、TTIにおいて送信されるべきSRSを識別し得る。場合によっては、SRSは周期的なSRSを含む。場合によっては、SRSは非周期的なSRSを含む。SRS構成マネージャ735は、グラントがDCIまたはsDCIにおいて受信されることに基づいて、SRS用の構成を決定し得る。UE通信マネージャ715は、次いで、構成に少なくとも部分的に基づいて、第1のTTI持続時間を有するTTI中または第2のTTI持続時間を有するTTIにおいてSRSを送信するために、送信機720と協調し得る。
【００９２】
送信機720は、デバイスの他の構成要素によって生成された信号を送信し得る。いくつかの例では、送信機720は、トランシーバモジュールにおいて受信機710と一緒に置かれてよい。たとえば、送信機720は、図9を参照しながら説明するトランシーバ935の態様の一例であってよい。送信機720は、単一のアンテナまたはアンテナのセットを利用し得る。
【００９３】
図8は、本開示の様々な態様による、低レイテンシシステムにおけるSRS構成およびTBSスケーリングをサポートするUE通信マネージャ815のブロック図800を示す。UE通信マネージャ815は、図6、図7、および図9を参照しながら説明するUE通信マネージャ615、UE通信マネージャ715、またはUE通信マネージャ915の態様の一例であってよい。UE通信マネージャ815は、グラントマネージャ820、SRS識別器825、SRS構成マネージャ830、SRS送信電力構成マネージャ835、およびSRS衝突マネージャ840を含んでよい。これらのモジュールの各々は、(たとえば、1つまたは複数のバスを介して)互いに直接または間接的に通信し得る。
【００９４】
グラントマネージャ820は、DCIまたはsDCIにおいてグラントを受信し得る。SRS識別器825は、TTIにおいて送信されるべきSRSを識別し得る。場合によっては、SRSは非周期的なSRSを含む。SRS構成マネージャ830は、グラントがDCIまたはsDCIにおいて受信されることに基づいて、SRS用の構成を決定し得る。場合によっては、SRS構成マネージャ830は、グラントがPDCCHまたはsPDCCHにおいて受信されていることに少なくとも部分的に基づいて、SRS用の構成を決定し得る。場合によっては、SRS構成マネージャ830は、第1のTTI持続時間を有するTTIまたは第2のTTI持続時間を有するTTIにおいて送信されるようにSRSがスケジュールされていることに少なくとも部分的に基づいて、SRS用の構成を決定し得る。UE通信マネージャ815は、次いで、構成に少なくとも部分的に基づいて、第1のTTI持続時間を有するTTI中または第2のTTI持続時間を有するTTIにおいてSRSを送信するために、送信機と協調し得る。
【００９５】
場合によっては、SRS構成マネージャ830は、第1のTTI持続時間を有するTTI中のSRS送信用の第1の構成の表示、および第2のTTI持続時間を有するTTI中のSRS送信用の第2の構成の表示を受信し得、ここで、SRS用の構成は、受信された表示に基づいて決定される。場合によっては、SRS送信電力構成マネージャ835は、第1のTTI持続時間を有するTTIにおいて送信されるようにSRSがスケジュールされているときには第1の構成に従って、また第2のTTI持続時間を有するTTIにおいて送信されるようにSRSがスケジュールされているときには第2の構成に従って、SRS用の送信電力構成を決定し得る。
【００９６】
場合によっては、SRS用の送信電力構成を決定することは、第1のTTI持続時間を有するTTIまたは第2のTTI持続時間を有するTTIにおいて送信されるようにSRSがスケジュールされていることに対応する、1つまたは複数の開ループ電力パラメータを受信することと、第1のTTI持続時間を有するTTIまたは第2のTTI持続時間を有するTTIにおいて送信されるようにSRSがスケジュールされていることに対応する、閉ループパラメータを選択することとを含む。場合によっては、閉ループ電力パラメータは、第1のTTI持続時間を有するTTIまたは第2のTTI持続時間を有するTTIにおいて送信されるようにSRSがスケジュールされていることに対応する、電力制御調整状態である。場合によっては、1つまたは複数の開ループ電力パラメータは、第1のTTI持続時間を有するTTIまたは第2のTTI持続時間を有するTTIにおいて送信されるようにSRSがスケジュールされていることに対応するとともに、SRSを送信するために使用される、最大送信電力、SRSオフセット、もしくは帯域幅、またはそれらの組合せを含む。場合によっては、SRSは周期的なSRSを含む。場合によっては、構成は、第1のTTI持続時間を有するTTIまたは第2のTTI持続時間を有するTTIにおいて送信されるようにSRSがスケジュールされていることに対応する、SRS周期性、サブフレームオフセット、もしくは帯域幅、またはそれらの組合せを含む。
【００９７】
場合によっては、SRSは非周期的なSRSを含む。場合によっては、DCIまたはsDCIにおいてグラントを受信することは、sDCIにおいてグラントを受信することを含み、ここで、SRSは、sDCIにおいてグラントを受信することに基づいて、第1のTTI持続時間を有するTTIに対応する構成に従って送信される。場合によっては、第1のTTI持続時間または第2のTTI持続時間を有するTTIの制御領域においてグラントを受信することは、DCIにおいてグラントを受信することを含み、ここで、SRSは、DCIにおいてグラントを受信することに基づいて、第2のTTI持続時間を有するTTIに対応する構成に従って送信される。
【００９８】
場合によっては、SRS送信電力構成マネージャ835は、第1のTTI持続時間を有するTTI中または第2のTTI持続時間を有するTTIにおいて送信されるべきSRSに対して、複数のTTIにおいて複数の送信電力構成を受信し得、複数の送信電力構成のうちの1つまたは複数に少なくとも部分的に基づいて、SRS用の構成を決定し得る。場合によっては、複数の送信電力構成のうちの1つまたは複数に少なくとも部分的に基づいて、SRS用の構成を決定することは、複数の送信電力構成の蓄積に少なくとも部分的に基づいて、SRS用の構成を決定することを含む。
【００９９】
場合によっては、複数の送信電力構成のうちの1つまたは複数に少なくとも部分的に基づいて、SRS用の構成を決定することは、複数の送信電力構成のうちの1つにおいて示される最大または最小の送信電力に少なくとも部分的に基づいて、SRS用の構成を決定することを含む。場合によっては、複数の送信電力構成のうちの1つまたは複数に少なくとも部分的に基づいて、SRS用の構成を決定することは、複数の送信電力構成において示される送信電力の平均に少なくとも部分的に基づいて、SRS用の構成を決定することを含む。場合によっては、複数の送信電力構成は、SRSを送信するために使用されるべき同じ送信電力構成を示す。
【０１００】
SRS衝突マネージャ840は、第1のTTI持続時間を有する第1のTTI中の第1のSRS送信と第2のTTI持続時間を有する第2のTTI中の第2のSRS送信との間の衝突を識別し得る。場合によっては、第1のSRS送信および第2のSRS送信は、同じキャリア上または異なるキャリア上にスケジュールされる。場合によっては、構成は、第1のTTI持続時間を有するTTI中のSRS送信に対する第1の優先度、および第2のTTI持続時間を有するTTI中のSRS送信に対する第2の優先度を示す。場合によっては、SRS衝突マネージャ840は、第1の優先度を第2の優先度と比較することに基づいて、第1のSRSを送信すべきか、第2のSRSを送信すべきか、それともその両方を送信すべきかを決定し得、第1のSRSおよび第2のSRSを同時に送信し得、第1のSRSおよび第2のSRSを送信することを控え得る。場合によっては、第1のSRSを送信すべきか、第2のSRSを送信すべきか、それともその両方を送信すべきかを決定することは、電力制約に基づいて、第1のSRSを送信すべきか、第2のSRSを送信すべきか、それともその両方を送信すべきかを決定することを含む。場合によっては、第1のSRSを送信すべきか、第2のSRSを送信すべきか、それともその両方を送信すべきかを決定することは、第1のSRSに関連する第1の帯域幅が第2のSRSに関連する第2の帯域幅とオーバーラップするかどうかに基づいて、第1のSRSを送信すべきか、第2のSRSを送信すべきか、それともその両方を送信すべきかを決定することを含む。場合によっては、SRS衝突マネージャ840は、第1のSRSおよび第2のSRSを同時に送信するか、または第1のSRSおよび第2のSRSを送信することを控えるために、送信機と協調し得る。
【０１０１】
図9は、本開示の様々な態様による、低レイテンシシステムにおけるSRS構成およびTBSスケーリングをサポートするデバイス905を含むシステム900の図を示す。デバイス905は、たとえば、図6および図7を参照しながら上記で説明したような、ワイヤレスデバイス605、ワイヤレスデバイス705、またはUE115の構成要素の一例であってよく、またはそれらを含んでよい。デバイス905は、UE通信マネージャ915、プロセッサ920、メモリ925、ソフトウェア930、トランシーバ935、アンテナ940、およびI/Oコントローラ945を含む、通信を送信および受信するための構成要素を含む双方向音声およびデータ通信のための構成要素を含んでよい。これらの構成要素は、1つまたは複数のバス(たとえば、バス910)を介して電子通信していてよい。デバイス905は、1つまたは複数の基地局105とワイヤレス通信し得る。
【０１０２】
プロセッサ920は、インテリジェントハードウェアデバイス(たとえば、汎用プロセッサ、DSP、中央処理装置(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含んでよい。いくつかの場合には、プロセッサ920は、メモリコントローラを使用してメモリアレイを動作させるように構成され得る。他の場合には、メモリコントローラはプロセッサ920の中に統合されてよい。プロセッサ920は、様々な機能(たとえば、低レイテンシシステムにおけるSRS構成およびTBSスケーリングをサポートする機能またはタスク)を実行するために、メモリの中に記憶されたコンピュータ可読命令を実行するように構成され得る。
【０１０３】
メモリ925は、ランダムアクセスメモリ(RAM)および読取り専用メモリ(ROM)を含んでよい。メモリ925は、実行されたとき、本明細書で説明する様々な機能をプロセッサに実行させる命令を含む、コンピュータ可読コンピュータ実行可能ソフトウェア930を記憶し得る。場合によっては、メモリ925は、特に、周辺構成要素または周辺デバイスとの相互作用などの基本的なハードウェア動作またはソフトウェア動作を制御し得る、基本入出力システム(BIOS)を含んでよい。
【０１０４】
ソフトウェア930は、低レイテンシシステムにおけるSRS構成およびTBSスケーリングをサポートするためのコードを含む、本開示の態様を実施するためのコードを含んでよい。ソフトウェア930は、システムメモリまたは他のメモリなどの非一時的コンピュータ可読媒体の中に記憶され得る。場合によっては、ソフトウェア930は、プロセッサによって直接実行可能でないことがあるが、本明細書で説明する機能を(たとえば、コンパイルおよび実行されたとき)コンピュータに実行させ得る。
【０１０５】
トランシーバ935は、上記で説明したように、1つまたは複数のアンテナ、有線リンク、またはワイヤレスリンクを介して双方向に通信し得る。たとえば、トランシーバ935は、ワイヤレストランシーバを表してよく、別のワイヤレストランシーバと双方向に通信し得る。トランシーバ935はまた、送信のためにパケットを変調するとともに被変調パケットをアンテナに提供するための、かつアンテナから受信されたパケットを復調するための、モデムを含んでよい。
【０１０６】
場合によっては、ワイヤレスデバイスは単一のアンテナ940を含んでよい。しかしながら、場合によっては、デバイスは、複数のワイヤレス送信を並行して送信または受信することが可能であり得る2つ以上のアンテナ940を有してよい。
【０１０７】
I/Oコントローラ945は、デバイス905のための入力信号および出力信号を管理し得る。I/Oコントローラ945はまた、デバイス905の中に統合されていない周辺装置を管理し得る。場合によっては、I/Oコントローラ945は、外部周辺装置への物理接続またはポートを表してよい。いくつかの場合には、I/Oコントローラ945は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどの、オペレーティングシステムを利用し得る。他の場合には、I/Oコントローラ945は、モデム、キーボード、マウス、タッチスクリーン、もしくは類似のデバイスを表してよく、またはそれらと相互作用してよい。場合によっては、I/Oコントローラ945は、プロセッサの一部として実装され得る。場合によっては、ユーザは、I/Oコントローラ945を介して、またはI/Oコントローラ945によって制御されるハードウェア構成要素を介して、デバイス905と対話し得る。
【０１０８】
図10は、本開示の様々な態様による、低レイテンシシステムにおけるSRS構成およびTBSスケーリングをサポートするワイヤレスデバイス1005のブロック図1000を示す。ワイヤレスデバイス1005は、本明細書で説明するような基地局105の態様の一例であってよい。ワイヤレスデバイス1005は、受信機1010、基地局通信マネージャ1015、および送信機1020を含んでよい。ワイヤレスデバイス1005はまた、プロセッサを含んでよい。これらの構成要素の各々は、(たとえば、1つまたは複数のバスを介して)互いに通信していてよい。
【０１０９】
受信機1010は、パケット、ユーザデータ、または様々な情報チャネル(たとえば、制御チャネル、データチャネル、ならびに低レイテンシシステムにおけるSRS構成およびTBSスケーリングに関係する情報など)に関連する制御情報などの、情報を受信し得る。情報は、デバイスの他の構成要素に渡されてよい。受信機1010は、図12を参照しながら説明するトランシーバ1235の態様の一例であってよい。受信機1010は、単一のアンテナまたはアンテナのセットを利用し得る。
【０１１０】
基地局通信マネージャ1015は、図12を参照しながら説明する基地局通信マネージャ1215の態様の一例であってよい。基地局通信マネージャ1015および/またはその様々なサブコンポーネントのうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局通信マネージャ1015および/またはその様々なサブコンポーネントのうちの少なくともいくつかの機能は、汎用プロセッサ、DSP、ASIC、FPGAもしくは他のプログラマブル論理デバイス、個別ゲートもしくはトランジスタ論理、個別ハードウェア構成要素、または本開示で説明する機能を実行するように設計されたそれらの任意の組合せによって実行され得る。
【０１１１】
いくつかの例では、基地局通信マネージャ1015および/またはその様々なサブコンポーネントのうちの少なくともいくつかは、機能の部分が1つまたは複数の物理デバイスによって異なる物理的ロケーションにおいて実装されるように分散されることを含めて、様々な位置に物理的に配置されてよい。いくつかの例では、基地局通信マネージャ1015および/またはその様々なサブコンポーネントのうちの少なくともいくつかは、本開示の様々な態様による別個の異なる構成要素であってよい。他の例では、基地局通信マネージャ1015および/またはその様々なサブコンポーネントのうちの少なくともいくつかは、限定はしないが、I/O構成要素、トランシーバ、ネットワークサーバ、別のコンピューティングデバイス、本開示で説明する1つもしくは複数の他の構成要素、または本開示の様々な態様によるそれらの組合せを含む、1つまたは複数の他のハードウェア構成要素と組み合わせられてよい。
【０１１２】
基地局通信マネージャ1015は、第1のTTI持続時間を有するTTI中のSRS送信用の第1の構成の表示、および第2のTTI持続時間を有するTTI中のSRS送信用の第2の構成の表示を送信し得る。基地局通信マネージャ1015は、次いで、TTIにおいてSRSを受信するために受信機1010と協調し得、ここで、SRSの構成は、第1の構成または第2の構成のいずれかに基づく。場合によっては、SRSは周期的なSRSを含む。場合によっては、SRSは非周期的なSRSを含む。基地局通信マネージャ1015は、TTIにおいてデータを送信するために使用されるチャネルの少なくともチャネル品質を、SRSに基づいて決定し得る。
【０１１３】
送信機1020は、デバイスの他の構成要素によって生成された信号を送信し得る。いくつかの例では、送信機1020は、トランシーバモジュールにおいて受信機1010と一緒に置かれてよい。たとえば、送信機1020は、図12を参照しながら説明するトランシーバ1235の態様の一例であってよい。送信機1020は、単一のアンテナまたはアンテナのセットを利用し得る。
【０１１４】
図11は、本開示の様々な態様による、低レイテンシシステムにおけるSRS構成およびTBSスケーリングをサポートするワイヤレスデバイス1105のブロック図1100を示す。ワイヤレスデバイス1105は、図10を参照しながら説明したようなワイヤレスデバイス1005または基地局105の態様の一例であってよい。ワイヤレスデバイス1105は、受信機1110、基地局通信マネージャ1115、および送信機1120を含んでよい。基地局通信マネージャ1115は、図12を参照しながら説明する基地局通信マネージャ1215の態様の一例であってよい。基地局通信マネージャ1115は、SRS構成マネージャ1125、チャネル品質マネージャ1130、およびグラントマネージャ1135を含んでよい。ワイヤレスデバイス1105はまた、プロセッサを含んでよい。これらの構成要素の各々は、(たとえば、1つまたは複数のバスを介して)互いに通信していてよい。
【０１１５】
受信機1110は、パケット、ユーザデータ、または様々な情報チャネル(たとえば、制御チャネル、データチャネル、ならびに低レイテンシシステムにおけるSRS構成およびTBSスケーリングに関係する情報など)に関連する制御情報などの、情報を受信し得る。情報は、デバイスの他の構成要素に渡されてよい。受信機1110は、図12を参照しながら説明するトランシーバ1235の態様の一例であってよい。受信機1110は、単一のアンテナまたはアンテナのセットを利用し得る。
【０１１６】
SRS構成マネージャ1125は、第1のTTI持続時間を有するTTI中のSRS送信用の第1の構成の表示、および第2のTTI持続時間を有するTTI中のSRS送信用の第2の構成の表示を送信し得る。基地局通信マネージャ1115は、次いで、TTIにおいてSRSを受信するために受信機1110と協調し得、SRSの構成は、第1の構成または第2の構成のいずれかに少なくとも部分的に基づく。チャネル品質マネージャ1130は、TTIにおいてデータを送信するために使用されるチャネルの少なくともチャネル品質を、SRSに基づいて決定し得る。
【０１１７】
場合によっては、第1の構成の表示および第2の構成の表示を送信することは、第1のTTI持続時間または第2のTTI持続時間のいずれかを有するTTIに対応する、1つまたは複数の開ループ電力パラメータを送信することを含む。場合によっては、1つまたは複数の開ループ電力パラメータは、第1のTTI持続時間または第2のTTI持続時間のいずれかを有するTTIに対応するとともに、SRSを送信するために使用される、最大送信電力、SRSオフセット、もしくは帯域幅、またはそれらの組合せを含む。場合によっては、SRSの構成は、第1のTTI持続時間または第2のTTI持続時間のいずれかを有するTTIに対応する、SRS周期性、サブフレームオフセット、もしくは帯域幅、またはそれらの組合せを含む。
【０１１８】
グラントマネージャ1135は、sDCIにおいてグラントを送信し得、ここで、SRSは、送信されたグラントに基づいて、第1のTTI持続時間を有するTTIにおいて第1の構成に従って受信される。SRS構成マネージャ1125は、DCIにおいてグラントを送信し得、ここで、SRSは、送信されたグラントに基づいて、第2のTTI持続時間を有するTTIにおいて第2の構成に従って受信される。
【０１１９】
送信機1120は、デバイスの他の構成要素によって生成された信号を送信し得る。いくつかの例では、送信機1120は、トランシーバモジュールにおいて受信機1110と一緒に置かれてよい。送信機1120は、図12を参照しながら説明するトランシーバ1235の態様の一例であってよい。送信機1120は、単一のアンテナまたはアンテナのセットを利用し得る。
【０１２０】
図12は、本開示の様々な態様による、低レイテンシシステムにおけるSRS構成およびTBSスケーリングをサポートするデバイス1205を含むシステム1200の図を示す。デバイス1205は、たとえば、図1を参照しながら上記で説明したような基地局105の構成要素の一例であってよく、またはそれを含んでよい。デバイス1205は、基地局通信マネージャ1215、プロセッサ1220、メモリ1225、ソフトウェア1230、トランシーバ1235、アンテナ1240、ネットワーク通信マネージャ1245、および局間通信マネージャ1250を含む、通信を送信および受信するための構成要素を含む双方向音声およびデータ通信のための構成要素を含んでよい。これらの構成要素は、1つまたは複数のバス(たとえば、バス1210)を介して電子通信していてよい。デバイス1205は、1つまたは複数のUE115とワイヤレス通信し得る。
【０１２１】
プロセッサ1220は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含んでよい。いくつかの場合には、プロセッサ1220は、メモリコントローラを使用してメモリアレイを動作させるように構成され得る。他の場合には、メモリコントローラはプロセッサ1220の中に統合されてよい。プロセッサ1220は、様々な機能(たとえば、低レイテンシシステムにおけるSRS構成およびTBSスケーリングをサポートする機能またはタスク)を実行するために、メモリの中に記憶されたコンピュータ可読命令を実行するように構成され得る。
【０１２２】
メモリ1225は、RAMおよびROMを含んでよい。メモリ1225は、実行されたとき、本明細書で説明する様々な機能をプロセッサに実行させる命令を含む、コンピュータ可読コンピュータ実行可能ソフトウェア1230を記憶し得る。場合によっては、メモリ1225は、特に、周辺構成要素または周辺デバイスとの相互作用などの基本的なハードウェア動作またはソフトウェア動作を制御し得る、BIOSを含んでよい。
【０１２３】
ソフトウェア1230は、低レイテンシシステムにおけるSRS構成およびTBSスケーリングをサポートするためのコードを含む、本開示の態様を実施するためのコードを含んでよい。ソフトウェア1230は、システムメモリまたは他のメモリなどの非一時的コンピュータ可読媒体の中に記憶され得る。場合によっては、ソフトウェア1230は、プロセッサによって直接実行可能でないことがあるが、本明細書で説明する機能を(たとえば、コンパイルおよび実行されたとき)コンピュータに実行させ得る。
【０１２４】
トランシーバ1235は、上記で説明したように、1つまたは複数のアンテナ、有線リンク、またはワイヤレスリンクを介して双方向に通信し得る。たとえば、トランシーバ1235は、ワイヤレストランシーバを表してよく、別のワイヤレストランシーバと双方向に通信し得る。トランシーバ1235はまた、送信のためにパケットを変調するとともに被変調パケットをアンテナに提供するための、かつアンテナから受信されたパケットを復調するための、モデムを含んでよい。
【０１２５】
場合によっては、ワイヤレスデバイスは単一のアンテナ1240を含んでよい。しかしながら、場合によっては、デバイスは、複数のワイヤレス送信を並行して送信または受信することが可能であり得る2つ以上のアンテナ1240を有してよい。
【０１２６】
ネットワーク通信マネージャ1245は、(たとえば、1つまたは複数の有線バックホールリンクを介した)コアネットワークとの通信を管理し得る。たとえば、ネットワーク通信マネージャ1245は、1つまたは複数のUE115などのクライアントデバイスのためのデータ通信の転送を管理し得る。
【０１２７】
局間通信マネージャ1250は、他の基地局105との通信を管理し得、他の基地局105と協調してUE115との通信を制御するためのコントローラまたはスケジューラを含んでよい。たとえば、局間通信マネージャ1250は、ビームフォーミングまたはジョイント送信などの様々な干渉軽減技法のために、UE115への送信に対するスケジューリングを協調させ得る。いくつかの例では、局間通信マネージャ1250は、基地局105の間で通信を行うためにLTE/LTE-Aワイヤレス通信ネットワーク技術内のX2インターフェースを提供し得る。
【０１２８】
図13は、本開示の様々な態様による、低レイテンシシステムにおけるSRS構成およびTBSスケーリングをサポートするワイヤレスデバイス1305のブロック図1300を示す。ワイヤレスデバイス1305は、本明細書で説明するようなUE115または基地局105の態様の一例であってよい。ワイヤレスデバイス1305は、受信機1310、通信マネージャ1315、および送信機1320を含んでよい。ワイヤレスデバイス1305はまた、プロセッサを含んでよい。これらの構成要素の各々は、(たとえば、1つまたは複数のバスを介して)互いに通信していてよい。
【０１２９】
受信機1310は、パケット、ユーザデータ、または様々な情報チャネル(たとえば、制御チャネル、データチャネル、ならびに低レイテンシシステムにおけるSRS構成およびTBSスケーリングに関係する情報など)に関連する制御情報などの、情報を受信し得る。情報は、デバイスの他の構成要素に渡されてよい。受信機1310は、図16および図17を参照しながら説明するトランシーバ1635またはトランシーバ1735の態様の一例であってよい。受信機1310は、単一のアンテナまたはアンテナのセットを利用し得る。
【０１３０】
通信マネージャ1315は、図16および図17を参照しながら説明する通信マネージャ1615または通信マネージャ1715の態様の一例であってよい。通信マネージャ1315および/またはその様々なサブコンポーネントのうちの少なくともいくつかは、ハードウェア、プロセッサによって実行されるソフトウェア、ファームウェア、またはそれらの任意の組合せで実装され得る。プロセッサによって実行されるソフトウェアで実装される場合、通信マネージャ1315および/またはその様々なサブコンポーネントのうちの少なくともいくつかの機能は、汎用プロセッサ、DSP、ASIC、FPGAもしくは他のプログラマブル論理デバイス、個別ゲートもしくはトランジスタ論理、個別ハードウェア構成要素、または本開示で説明する機能を実行するように設計されたそれらの任意の組合せによって実行され得る。
【０１３１】
通信マネージャ1315および/またはその様々なサブコンポーネントのうちの少なくともいくつかは、機能の部分が1つまたは複数の物理デバイスによって異なる物理的ロケーションにおいて実装されるように分散されることを含めて、様々な位置に物理的に配置されてよい。いくつかの例では、通信マネージャ1315および/またはその様々なサブコンポーネントのうちの少なくともいくつかは、本開示の様々な態様による別個の異なる構成要素であってよい。他の例では、通信マネージャ1315および/またはその様々なサブコンポーネントのうちの少なくともいくつかは、限定はしないが、I/O構成要素、トランシーバ、ネットワークサーバ、別のコンピューティングデバイス、本開示で説明する1つもしくは複数の他の構成要素、または本開示の様々な態様によるそれらの組合せを含む、1つまたは複数の他のハードウェア構成要素と組み合わせられてよい。
【０１３２】
通信マネージャ1315は、第1のTTI持続時間を有するTTIにおいて送信すべきデータを識別し得、第1のTTI持続時間を有するTTI中でのデータの送信のために利用可能なリソース要素の個数を決定し得、第1のTTI持続時間を有するTTI中でのデータの送信のために利用可能なリソース要素の決定された個数に基づいて、第1のTTI持続時間を有するTTI中でのデータの送信用のTBSを決定し得る。通信マネージャ1315は、次いで、決定されたTBSに少なくとも部分的に基づいてデータを送信するために、送信機1320と協調し得る。
【０１３３】
送信機1320は、デバイスの他の構成要素によって生成された信号を送信し得る。いくつかの例では、送信機1320は、トランシーバモジュールにおいて受信機1310と一緒に置かれてよい。送信機1320は、図16および図17を参照しながら説明するトランシーバ1635またはトランシーバ1735の態様の一例であってよい。送信機1320は、単一のアンテナまたはアンテナのセットを利用し得る。
【０１３４】
図14は、本開示の様々な態様による、低レイテンシシステムにおけるSRS構成およびTBSスケーリングをサポートするワイヤレスデバイス1405のブロック図1400を示す。ワイヤレスデバイス1405は、図13を参照しながら説明したようなワイヤレスデバイス1305またはUE115もしくは基地局105の態様の一例であってよい。ワイヤレスデバイス1405は、受信機1410、通信マネージャ1415、および送信機1420を含んでよい。通信マネージャ1415は、図16を参照しながら説明する通信マネージャ1615の態様の一例であってよい。通信マネージャ1415は、データ識別器1425、リソース要素マネージャ1430、およびTBS決定器1435を含んでよい。ワイヤレスデバイス1405はまた、プロセッサを含んでよい。これらの構成要素の各々は、(たとえば、1つまたは複数のバスを介して)互いに通信していてよい。
【０１３５】
受信機1410は、パケット、ユーザデータ、または様々な情報チャネル(たとえば、制御チャネル、データチャネル、ならびに低レイテンシシステムにおけるSRS構成およびTBSスケーリングに関係する情報など)に関連する制御情報などの、情報を受信し得る。情報は、デバイスの他の構成要素に渡されてよい。受信機1410は、図16および図17を参照しながら説明するトランシーバ1635またはトランシーバ1735の態様の一例であってよい。受信機1410は、単一のアンテナまたはアンテナのセットを利用し得る。
【０１３６】
データ識別器1425は、第1のTTI持続時間を有するTTIにおいて送信すべきデータを識別し得る。リソース要素マネージャ1430は、第1のTTI持続時間を有するTTI中でのデータの送信のために利用可能なリソース要素の個数を決定し得る。TBS決定器1435は、第1のTTI持続時間を有するTTI中でのデータの送信のために利用可能なリソース要素の決定された個数に基づいて、第1のTTI持続時間を有するTTI中でのデータの送信用のTBSを決定し得る。通信マネージャ1415は、次いで、決定されたTBSに少なくとも部分的に基づいてデータを送信するために、送信機1420と協調し得る。
【０１３７】
送信機1420は、デバイスの他の構成要素によって生成された信号を送信し得る。いくつかの例では、送信機1420は、トランシーバモジュールにおいて受信機1410と一緒に置かれてよい。たとえば、送信機1420は、図16および図17を参照しながら説明するトランシーバ1635またはトランシーバ1735の態様の一例であってよい。送信機1420は、単一のアンテナまたはアンテナのセットを利用し得る。
【０１３８】
図15は、本開示の様々な態様による、低レイテンシシステムにおけるSRS構成およびTBSスケーリングをサポートする通信マネージャ1515のブロック図1500を示す。通信マネージャ1515は、図16および図17を参照しながら説明する通信マネージャ1615または通信マネージャ1715の態様の一例であってよい。通信マネージャ1515は、データ識別器1520、リソース要素マネージャ1525、TBS決定器1530、および送信モード決定器1535を含んでよい。これらのモジュールの各々は、(たとえば、1つまたは複数のバスを介して)互いに直接または間接的に通信し得る。
【０１３９】
データ識別器1520は、第1のTTI持続時間を有するTTIにおいて送信すべきデータを識別し得る。リソース要素マネージャ1525は、第1のTTI持続時間を有するTTI中でのデータの送信のために利用可能なリソース要素の個数を決定し得る。TBS決定器1530は、第1のTTI持続時間を有するTTI中でのデータの送信のために利用可能なリソース要素の決定された個数に基づいて、第1のTTI持続時間を有するTTI中でのデータの送信用のTBSを決定し得る。通信マネージャ1515は、次いで、決定されたTBSに少なくとも部分的に基づいてデータを送信するために、送信機と協調し得る。
【０１４０】
場合によっては、第1のTTI持続時間を有するTTI中でのデータの送信のために利用可能なリソース要素の個数を決定することは、第2のTTI持続時間を有するTTI中の通信に関連する制御チャネルの中の制御情報のために予約されている、第1のTTI持続時間を有するTTIにおいてリソース要素の個数を識別することを含む。場合によっては、制御情報のために予約されている、第1のTTI持続時間を有するTTIにおいてリソース要素の個数を識別することは、制御情報のために予約されている、第1のTTI持続時間を有するTTIにおいてリソース要素のデフォルトの個数を識別することを含む。場合によっては、制御チャネルはPDCCHを含む。場合によっては、第1のTTI持続時間を有するTTI中でのデータの送信のために利用可能なリソース要素の個数を決定することは、第1のTTI持続時間を有するTTI中の通信に関連する制御チャネルの中の制御情報のために予約されている、第1のTTI持続時間を有するTTIにおいてリソース要素の個数を識別することを含む。場合によっては、制御チャネルはsPDCCHを含む。
【０１４１】
場合によっては、送信モード決定器1535は、第1のTTI持続時間を有するTTI中の通信のために使用されるTMがCRSベースであるのかそれともDMRSベースであるのかを決定し得、TBS決定器1530は、TMがCRSベースであるのかそれともDMRSベースであるのかを決定することに基づいて、送信用のTBSを決定し得る。
【０１４２】
図16は、本開示の様々な態様による、低レイテンシシステムにおけるSRS構成およびTBSスケーリングをサポートするデバイス1605を含むシステム1600の図を示す。デバイス1605は、たとえば、図1を参照しながら上記で説明したようなUE115の構成要素の一例であってよく、またはそれを含んでよい。デバイス1605は、UE通信マネージャ1615、プロセッサ1620、メモリ1625、ソフトウェア1630、トランシーバ1635、アンテナ1640、およびI/Oコントローラ1645を含む、通信を送信および受信するための構成要素を含む双方向音声およびデータ通信のための構成要素を含んでよい。これらの構成要素は、1つまたは複数のバス(たとえば、バス1610)を介して電子通信していてよい。デバイス1605は、1つまたは複数の基地局105とワイヤレス通信し得る。
【０１４３】
プロセッサ1620は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含んでよい。いくつかの場合には、プロセッサ1620は、メモリコントローラを使用してメモリアレイを動作させるように構成され得る。他の場合には、メモリコントローラはプロセッサ1620の中に統合されてよい。プロセッサ1620は、様々な機能(たとえば、低レイテンシシステムにおけるSRS構成およびTBSスケーリングをサポートする機能またはタスク)を実行するために、メモリの中に記憶されたコンピュータ可読命令を実行するように構成され得る。
【０１４４】
メモリ1625は、RAMおよびROMを含んでよい。メモリ1625は、実行されたとき、本明細書で説明する様々な機能をプロセッサに実行させる命令を含む、コンピュータ可読コンピュータ実行可能ソフトウェア1630を記憶し得る。場合によっては、メモリ1625は、特に、周辺構成要素または周辺デバイスとの相互作用などの基本的なハードウェア動作またはソフトウェア動作を制御し得る、BIOSを含んでよい。
【０１４５】
ソフトウェア1630は、低レイテンシシステムにおけるSRS構成およびTBSスケーリングをサポートするためのコードを含む、本開示の態様を実施するためのコードを含んでよい。ソフトウェア1630は、システムメモリまたは他のメモリなどの非一時的コンピュータ可読媒体の中に記憶され得る。場合によっては、ソフトウェア1630は、プロセッサによって直接実行可能でないことがあるが、本明細書で説明する機能を(たとえば、コンパイルおよび実行されたとき)コンピュータに実行させ得る。
【０１４６】
トランシーバ1635は、上記で説明したように、1つまたは複数のアンテナ、有線リンク、またはワイヤレスリンクを介して双方向に通信し得る。たとえば、トランシーバ1635は、ワイヤレストランシーバを表してよく、別のワイヤレストランシーバと双方向に通信し得る。トランシーバ1635はまた、送信のためにパケットを変調するとともに被変調パケットをアンテナに提供するための、かつアンテナから受信されたパケットを復調するための、モデムを含んでよい。
【０１４７】
場合によっては、ワイヤレスデバイスは単一のアンテナ1640を含んでよい。しかしながら、場合によっては、デバイスは、複数のワイヤレス送信を並行して送信または受信することが可能であり得る2つ以上のアンテナ1640を有してよい。
【０１４８】
I/Oコントローラ1645は、デバイス1605のための入力信号および出力信号を管理し得る。I/Oコントローラ1645はまた、デバイス1605の中に統合されていない周辺装置を管理し得る。場合によっては、I/Oコントローラ1645は、外部周辺装置への物理接続またはポートを表してよい。いくつかの場合には、I/Oコントローラ1645は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどの、オペレーティングシステムを利用し得る。他の場合には、I/Oコントローラ1645は、モデム、キーボード、マウス、タッチスクリーン、もしくは類似のデバイスを表してよく、またはそれらと相互作用してよい。場合によっては、I/Oコントローラ1645は、プロセッサの一部として実装され得る。場合によっては、ユーザは、I/Oコントローラ1645を介して、またはI/Oコントローラ1645によって制御されるハードウェア構成要素を介して、デバイス1605と対話し得る。
【０１４９】
図17は、本開示の様々な態様による、低レイテンシシステムにおけるSRS構成およびTBSスケーリングをサポートするデバイス1705を含むシステム1700の図を示す。デバイス1705は、たとえば、図1を参照しながら上記で説明したような基地局105の構成要素の一例であってよく、またはそれを含んでよい。デバイス1705は、基地局通信マネージャ1715、プロセッサ1720、メモリ1725、ソフトウェア1730、トランシーバ1735、アンテナ1740、ネットワーク通信マネージャ1745、および局間通信マネージャ1750を含む、通信を送信および受信するための構成要素を含む双方向音声およびデータ通信のための構成要素を含んでよい。これらの構成要素は、1つまたは複数のバス(たとえば、バス1710)を介して電子通信していてよい。デバイス1705は、1つまたは複数のUE115とワイヤレス通信し得る。
【０１５０】
プロセッサ1720は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含んでよい。いくつかの場合には、プロセッサ1720は、メモリコントローラを使用してメモリアレイを動作させるように構成され得る。他の場合には、メモリコントローラはプロセッサ1720の中に統合されてよい。プロセッサ1720は、様々な機能(たとえば、低レイテンシシステムにおけるSRS構成およびTBSスケーリングをサポートする機能またはタスク)を実行するために、メモリの中に記憶されたコンピュータ可読命令を実行するように構成され得る。
【０１５１】
メモリ1725は、RAMおよびROMを含んでよい。メモリ1725は、実行されたとき、本明細書で説明する様々な機能をプロセッサに実行させる命令を含む、コンピュータ可読コンピュータ実行可能ソフトウェア1730を記憶し得る。場合によっては、メモリ1725は、特に、周辺構成要素または周辺デバイスとの相互作用などの基本的なハードウェア動作またはソフトウェア動作を制御し得る、BIOSを含んでよい。
【０１５２】
ソフトウェア1730は、低レイテンシシステムにおけるSRS構成およびTBSスケーリングをサポートするためのコードを含む、本開示の態様を実施するためのコードを含んでよい。ソフトウェア1730は、システムメモリまたは他のメモリなどの非一時的コンピュータ可読媒体の中に記憶され得る。場合によっては、ソフトウェア1730は、プロセッサによって直接実行可能でないことがあるが、本明細書で説明する機能を(たとえば、コンパイルおよび実行されたとき)コンピュータに実行させ得る。
【０１５３】
トランシーバ1735は、上記で説明したように、1つまたは複数のアンテナ、有線リンク、またはワイヤレスリンクを介して双方向に通信し得る。たとえば、トランシーバ1735は、ワイヤレストランシーバを表してよく、別のワイヤレストランシーバと双方向に通信し得る。トランシーバ1735はまた、送信のためにパケットを変調するとともに被変調パケットをアンテナに提供するための、かつアンテナから受信されたパケットを復調するための、モデムを含んでよい。
【０１５４】
場合によっては、ワイヤレスデバイスは単一のアンテナ1740を含んでよい。しかしながら、場合によっては、デバイスは、複数のワイヤレス送信を並行して送信または受信することが可能であり得る2つ以上のアンテナ1740を有してよい。
【０１５５】
ネットワーク通信マネージャ1745は、(たとえば、1つまたは複数の有線バックホールリンクを介した)コアネットワークとの通信を管理し得る。たとえば、ネットワーク通信マネージャ1745は、1つまたは複数のUE115などのクライアントデバイスのためのデータ通信の転送を管理し得る。
【０１５６】
局間通信マネージャ1750は、他の基地局105との通信を管理し得、他の基地局105と協調してUE115との通信を制御するためのコントローラまたはスケジューラを含んでよい。たとえば、局間通信マネージャ1750は、ビームフォーミングまたはジョイント送信などの様々な干渉軽減技法のために、UE115への送信に対するスケジューリングを協調させ得る。いくつかの例では、局間通信マネージャ1750は、基地局105の間で通信を行うためにLTE/LTE-Aワイヤレス通信ネットワーク技術内のX2インターフェースを提供し得る。
【０１５７】
図18は、本開示の様々な態様による、低レイテンシシステムにおけるSRS構成およびTBSスケーリングのための方法1800を示すフローチャートを示す。方法1800の動作は、本明細書で説明するようなUE115またはその構成要素によって実施され得る。たとえば、方法1800の動作は、図6〜図15を参照しながら説明したようなUE通信マネージャによって実行され得る。いくつかの例では、UE115は、以下で説明する機能を実行するようにデバイスの機能要素を制御するためのコードのセットを実行し得る。追加または代替として、UE115は、以下で説明する機能の態様を、専用ハードウェアを使用して実行し得る。
【０１５８】
ブロック1805において、UE115は、DCIまたはsDCIにおいてグラントを受信し得る。ブロック1805の動作は、本明細書で説明する方法に従って実行され得る。いくつかの例では、ブロック1805の動作の態様は、図7および図8を参照しながら説明したようなグラントマネージャによって実行され得る。
【０１５９】
ブロック1810において、UE115は、グラントを受信することに基づいて、送信されるべきSRSを識別し得る。ブロック1810の動作は、本明細書で説明する方法に従って実行され得る。いくつかの例では、ブロック1810の動作の態様は、図7および図8を参照しながら説明したようなSRS識別器によって実行され得る。
【０１６０】
ブロック1815において、UE115は、グラントがDCIまたはsDCIにおいて受信されることに少なくとも部分的に基づいて、SRS用の構成を決定し得る。ブロック1815の動作は、本明細書で説明する方法に従って実行され得る。いくつかの例では、ブロック1815の動作の態様は、図7および図8を参照しながら説明したようなSRS構成マネージャによって実行され得る。
【０１６１】
ブロック1820において、UE115は、構成に少なくとも部分的に基づいて、第1のTTI持続時間を有するTTI中または第2のTTI持続時間を有するTTIにおいてSRSを送信し得る。ブロック1820の動作は、本明細書で説明する方法に従って実行され得る。いくつかの例では、ブロック1820の動作の態様は、図7および図8を参照しながら説明したような送信機によって実行され得る。
【０１６２】
図19は、本開示の様々な態様による、低レイテンシシステムにおけるSRS構成およびTBSスケーリングのための方法1900を示すフローチャートを示す。方法1900の動作は、本明細書で説明するようなUE115またはその構成要素によって実施され得る。たとえば、方法1900の動作は、図6〜図15を参照しながら説明したようなUE通信マネージャによって実行され得る。いくつかの例では、UE115は、以下で説明する機能を実行するようにデバイスの機能要素を制御するためのコードのセットを実行し得る。追加または代替として、UE115は、以下で説明する機能の態様を、専用ハードウェアを使用して実行し得る。
【０１６３】
ブロック1905において、UE115は、DCIまたはsDCIにおいてグラントを受信し得る。ブロック1905の動作は、本明細書で説明する方法に従って実行され得る。いくつかの例では、ブロック1905の動作の態様は、図7および図8を参照しながら説明したようなグラントマネージャによって実行され得る。
【０１６４】
ブロック1910において、UE115は、グラントを受信することに基づいて、送信されるべきSRSを識別し得る。ブロック1910の動作は、本明細書で説明する方法に従って実行され得る。いくつかの例では、ブロック1910の動作の態様は、図7および図8を参照しながら説明したようなSRS識別器によって実行され得る。
【０１６５】
ブロック1915において、UE115は、第1のTTI持続時間を有するTTIまたは第2のTTI持続時間を有するTTIにおいて送信されるようにSRSがスケジュールされていることに対応する、1つまたは複数の開ループパラメータを受信し得る。ブロック1915の動作は、本明細書で説明する方法に従って実行され得る。いくつかの例では、ブロック1915の動作の態様は、図7および図8を参照しながら説明したようなSRS送信電力構成マネージャによって実行され得る。
【０１６６】
ブロック1920において、UE115は、第1のTTI持続時間を有するTTIまたは第2のTTI持続時間を有するTTIにおいて送信されるようにSRSがスケジュールされていることに対応する、閉ループパラメータを選択し得る。ブロック1920の動作は、本明細書で説明する方法に従って実行され得る。いくつかの例では、ブロック1920の動作の態様は、図7および図8を参照しながら説明したようなSRS送信電力構成マネージャによって実行され得る。
【０１６７】
ブロック1925において、UE115は、第1のTTI持続時間を有するTTIまたは第2のTTI持続時間を有するTTIにおいて送信されるようにSRSがスケジュールされていること、ならびに受信された開ループパラメータおよび選択された閉ループパラメータに少なくとも部分的に基づいて、SRS用の送信電力構成を決定し得る。ブロック1925の動作は、本明細書で説明する方法に従って実行され得る。いくつかの例では、ブロック1925の動作の態様は、図7および図8を参照しながら説明したようなSRS構成マネージャによって実行され得る。
【０１６８】
ブロック1930において、UE115は、構成に少なくとも部分的に基づいて、第1のTTI持続時間を有するTTI中または第2のTTI持続時間を有するTTIにおいてSRSを送信し得る。ブロック1930の動作は、本明細書で説明する方法に従って実行され得る。いくつかの例では、ブロック1930の動作の態様は、図7および図8を参照しながら説明したような送信機によって実行され得る。
【０１６９】
図20は、本開示の様々な態様による、低レイテンシシステムにおけるSRS構成およびTBSスケーリングのための方法2000を示すフローチャートを示す。方法2000の動作は、本明細書で説明するようなUE115またはその構成要素によって実施され得る。たとえば、方法2000の動作は、図6〜図15を参照しながら説明したようなUE通信マネージャによって実行され得る。いくつかの例では、UE115は、以下で説明する機能を実行するようにデバイスの機能要素を制御するためのコードのセットを実行し得る。追加または代替として、UE115は、以下で説明する機能の態様を、専用ハードウェアを使用して実行し得る。
【０１７０】
ブロック2005において、UE115は、DCIまたはsDCIにおいてグラントを受信し得る。ブロック2005の動作は、本明細書で説明する方法に従って実行され得る。いくつかの例では、ブロック2005の動作の態様は、図7および図8を参照しながら説明したようなグラントマネージャによって実行され得る。
【０１７１】
ブロック2010において、UE115は、グラントを受信することに基づいて、送信されるべき第1のSRSを識別し得る。ブロック2010の動作は、本明細書で説明する方法に従って実行され得る。いくつかの例では、ブロック2010の動作の態様は、図7および図8を参照しながら説明したようなSRS識別器によって実行され得る。
【０１７２】
ブロック2015において、UE115は、第1のTTI持続時間を有するTTI中または第2のTTI持続時間を有するTTIにおいて送信されるようにSRSがスケジュールされていることに基づいて、第1のSRS用の構成を決定し得、構成は、第2のSRSに対する第2の優先度とは異なる第1のSRSに対する第1の優先度を示す。ブロック2015の動作は、本明細書で説明する方法に従って実行され得る。いくつかの例では、ブロック2015の動作の態様は、図7および図8を参照しながら説明したようなSRS構成マネージャによって実行され得る。
【０１７３】
ブロック2020において、UE115は、第1のSRSと第2のSRSとの間の衝突を識別し得る。ブロック2015の動作は、本明細書で説明する方法に従って実行され得る。いくつかの例では、ブロック2015の動作の態様は、図7および図8を参照しながら説明したようなSRS衝突マネージャによって実行され得る。
【０１７４】
ブロック2025において、UE115は、第1の優先度を第2の優先度と比較することに少なくとも部分的に基づいて、第1のSRSを送信すべきか、第2のSRSを送信すべきか、それともその両方を送信すべきかを決定し得る。ブロック2025の動作は、本明細書で説明する方法に従って実行され得る。いくつかの例では、ブロック2025の動作の態様は、図7および図8を参照しながら説明したようなSRS衝突マネージャによって実行され得る。
【０１７５】
図21は、本開示の様々な態様による、低レイテンシシステムにおけるSRS構成およびTBSスケーリングのための方法2100を示すフローチャートを示す。方法2100の動作は、本明細書で説明するような基地局105またはその構成要素によって実施され得る。たとえば、方法2100の動作は、図10〜図17を参照しながら説明したような基地局通信マネージャによって実行され得る。いくつかの例では、基地局105は、以下で説明する機能を実行するようにデバイスの機能要素を制御するためのコードのセットを実行し得る。追加または代替として、基地局105は、以下で説明する機能の態様を、専用ハードウェアを使用して実行し得る。
【０１７６】
ブロック2105において、基地局105は、第1のTTI持続時間を有するTTI中のSRS送信用の第1の構成の表示、および第2のTTI持続時間を有するTTI中のSRS送信用の第2の構成の表示を送信し得る。ブロック2105の動作は、本明細書で説明する方法に従って実行され得る。いくつかの例では、ブロック2105の動作の態様は、図10〜図17を参照しながら説明したようなSRS構成マネージャによって実行され得る。
【０１７７】
ブロック2110において、基地局105は、TTIにおいてSRSを受信し得、SRSの構成は、第1の構成または第2の構成のいずれかに少なくとも部分的に基づく。ブロック2110の動作は、本明細書で説明する方法に従って実行され得る。いくつかの例では、ブロック2110の動作の態様は、図10〜図17を参照しながら説明したような受信機によって実行され得る。
【０１７８】
ブロック2115において、基地局105は、TTIにおいてデータを送信するために使用されるチャネルの少なくともチャネル品質を、SRSに少なくとも部分的に基づいて決定し得る。ブロック2115の動作は、本明細書で説明する方法に従って実行され得る。いくつかの例では、ブロック2115の動作の態様は、図10〜図17を参照しながら説明したようなチャネル品質マネージャによって実行され得る。
【０１７９】
図22は、本開示の様々な態様による、低レイテンシシステムにおけるSRS構成およびTBSスケーリングのための方法2200を示すフローチャートを示す。方法2200の動作は、本明細書で説明するようなUE115もしくは基地局105またはその構成要素によって実施され得る。たとえば、方法2200の動作は、図13〜図15を参照しながら説明したような通信マネージャによって実行され得る。いくつかの例では、UE115または基地局105は、以下で説明する機能を実行するようにデバイスの機能要素を制御するためのコードのセットを実行し得る。追加または代替として、UE115または基地局105は、以下で説明する機能の態様を、専用ハードウェアを使用して実行し得る。
【０１８０】
ブロック2205において、UE115または基地局105は、第1のTTI持続時間を有するTTIにおいて送信すべきデータを識別し得る。ブロック2205の動作は、本明細書で説明する方法に従って実行され得る。いくつかの例では、ブロック2205の動作の態様は、図13〜図15を参照しながら説明したようなデータ識別器によって実行され得る。
【０１８１】
ブロック2210において、UE115または基地局105は、第1のTTI持続時間を有するTTI中でのデータの送信のために利用可能なリソース要素の個数を決定し得る。ブロック2210の動作は、本明細書で説明する方法に従って実行され得る。いくつかの例では、ブロック2210の動作の態様は、図13〜図15を参照しながら説明したようなリソース要素マネージャによって実行され得る。
【０１８２】
ブロック2215において、UE115または基地局105は、第1のTTI持続時間を有するTTI中でのデータの送信のために利用可能なリソース要素の決定された個数に少なくとも部分的に基づいて、第1のTTI持続時間を有するTTI中でのデータの送信用のTBSを決定し得る。ブロック2215の動作は、本明細書で説明する方法に従って実行され得る。いくつかの例では、ブロック2215の動作の態様は、図13〜図15を参照しながら説明したようなTBS決定器によって実行され得る。
【０１８３】
上記で説明した方法が可能な実装形態を説明していること、動作およびステップが再構成されてよくまたは他の方法で修正されてよいこと、および他の実装形態が可能であることに留意されたい。さらに、方法のうちの2つ以上からの態様が組み合わせられてよい。
【０１８４】
本明細書で説明した技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用され得る。「システム」および「ネットワーク」という用語は、しばしば、互換的に使用される。符号分割多元接続(CDMA)システムは、CDMA2000、ユニバーサル地上波無線アクセス(UTRA)などの無線技術を実装し得る。CDMA2000は、IS-2000規格、IS-95規格、およびIS-856規格をカバーする。IS-2000リリースは、通常、CDMA2000 1X、1Xなどと呼ばれることがある。IS-856(TIA-856)は、通常、CDMA2000 1xEV-DO、高速パケットデータ(HRPD)などと呼ばれる。UTRAは、ワイドバンドCDMA(WCDMA(登録商標))、およびCDMAの他の変形を含む。TDMAシステムは、モバイル通信用グローバルシステム(GSM(登録商標))などの無線技術を実装し得る。
【０１８５】
OFDMAシステムは、ウルトラモバイルブロードバンド(UMB)、発展型UTRA(E-UTRA)、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、ユニバーサル移動電気通信システム(UMTS)の一部である。LTEおよびLTE-Aは、E-UTRAを使用するUMTSのリリースである。UTRA、E-UTRA、UMTS、LTE、LTE-A、NR、およびGSM(登録商標)は、「第3世代パートナーシッププロジェクト」(3GPP)と称する団体からの文書に記載されている。CDMA2000およびUMBは、「第3世代パートナーシッププロジェクト2」(3GPP2)と称する団体からの文書に記載されている。本明細書で説明した技法は、上述のシステムおよび無線技術ならびに他のシステムおよび無線技術のために使用され得る。LTEまたはNRシステムの態様が例として説明されることがあり、説明の大部分においてLTEまたはNR用語が使用されることがあるが、本明細書で説明した技法は、LTEまたはNR適用例以外に適用可能である。
【０１８６】
本明細書で説明したそのようなネットワークを含むLTE/LTE-Aネットワークでは、発展型ノードB(eNB)という用語は、概して、基地局を表すために使用され得る。本明細書で説明した1つまたは複数のワイヤレス通信システムは、異なるタイプのeNBが様々な地理的領域にカバレージを提供する異種LTE/LTE-AまたはNRネットワークを含んでよい。たとえば、各eNB、次世代ノードB(gNB)、または基地局は、マクロセル、スモールセル、または他のタイプのセルに通信カバレージを提供し得る。「セル」という用語は、文脈に応じて、基地局、基地局に関連するキャリアもしくはコンポーネントキャリア、またはキャリアもしくは基地局の地理的カバレージエリア(たとえば、セクタなど)を表すために使用され得る。
【０１８７】
基地局は、基地トランシーバ局、無線基地局、アクセスポイント、無線トランシーバ、ノードB、eノードB(eNB)、gNB、ホームノードB、ホームeノードB、または何らかの他の好適な用語を含んでよく、または当業者によってそのように呼ばれることがある。基地局のための地理的カバレージエリアは、地理的カバレージエリアの一部分のみを構成するセクタに分割され得る。本明細書で説明した1つまたは複数のワイヤレス通信システムは、異なるタイプの基地局(たとえば、マクロ基地局またはスモールセル基地局)を含んでよい。本明細書で説明したUEは、マクロeNB、スモールセルeNB、gNB、中継基地局などを含む、様々なタイプの基地局およびネットワーク機器と通信できる場合がある。異なる技術のためのオーバーラップする地理的カバレージエリアがあり得る。
【０１８８】
マクロセルは、一般に、比較的大きい地理的エリア(たとえば、半径数キロメートル)をカバーし、ネットワークプロバイダのサービスに加入しているUEによる無制限アクセスを可能にし得る。スモールセルは、同じかまたは異なる(たとえば、認可、無認可などの)周波数帯域においてマクロセルとして動作し得る、マクロセルと比較して低電力の基地局である。スモールセルは、様々な例によれば、ピコセル、フェムトセル、およびマイクロセルを含んでよい。ピコセルは、たとえば、小さい地理的エリアをカバーし得、ネットワークプロバイダのサービスに加入しているUEによる無制限アクセスを可能にし得る。フェムトセルも、小さい地理的エリア(たとえば、自宅)をカバーし得、フェムトセルとの関連付けを有するUE(たとえば、限定加入者グループ(CSG:Closed Subscriber Group)の中のUE、自宅の中のユーザ用のUEなど)による制限付きアクセスを提供し得る。マクロセル用のeNBは、マクロeNBと呼ばれることがある。スモールセル用のeNBは、スモールセルeNB、ピコeNB、フェムトeNB、またはホームeNBと呼ばれることがある。eNBは、1つまたは複数(たとえば、2つ、3つ、4つなど)のセル(たとえば、コンポーネントキャリア)をサポートし得る。
【０１８９】
本明細書で説明した1つまたは複数のワイヤレス通信システムは、同期動作または非同期動作をサポートし得る。同期動作の場合、基地局は、類似のフレームタイミングを有してよく、異なる基地局からの送信は、時間的にほぼ整合され得る。非同期動作の場合、基地局は、異なるフレームタイミングを有することがあり、異なる基地局からの送信は、時間的に整合されないことがある。本明細書で説明した技法は、同期動作または非同期動作のいずれに使用されてもよい。
【０１９０】
本明細書で説明したダウンリンク送信は順方向リンク送信と呼ばれることもあり、アップリンク送信は逆方向リンク送信と呼ばれることもある。たとえば、図1および図2のワイヤレス通信システム100および200を含む、本明細書で説明した各通信リンクは、1つまたは複数のキャリアを含んでよく、ここで、各キャリアは、複数のサブキャリア(たとえば、異なる周波数の波形信号)から構成される信号であり得る。
【０１９１】
添付の図面に関して本明細書に記載した説明は、例示的な構成を説明しており、実装され得るかまたは特許請求の範囲内に入るすべての例を表すとは限らない。本明細書で使用する「例示的」という用語は、「例、事例、または例示として役立つ」ことを意味し、「好ましい」または「他の例よりも有利な」を意味するものではない。発明を実施するための形態は、説明した技法の理解を与えるための具体的な詳細を含む。しかしながら、これらの技法は、これらの具体的な詳細なしに実践され得る。いくつかの事例では、説明した例の概念を不明瞭にすることを回避するために、よく知られている構造およびデバイスがブロック図の形態で示される。
【０１９２】
添付の図面において、類似の構成要素または特徴は、同じ参照ラベルを有することがある。さらに、同じタイプの様々な構成要素は、ダッシュ、および類似の構成要素を区別する第2のラベルを続けることによって区別され得る。本明細書において第1の参照ラベルのみが使用される場合、説明は、第2の参照ラベルにかかわらず、同じ第1の参照ラベルを有する類似の構成要素のいずれにも適用可能である。
【０１９３】
本明細書で説明した情報および信号は、様々な異なる技術および技法のいずれかを使用して表されてよい。たとえば、上記の説明全体にわたって言及されることがあるデータ、命令、コマンド、情報、信号、ビット、シンボル、およびチップは、電圧、電流、電磁波、磁場もしくは磁性粒子、光場もしくは光学粒子、またはそれらの任意の組合せによって表されてよい。
【０１９４】
本明細書の本開示に関して説明した様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明した機能を実行するように設計されたそれらの任意の組合せを用いて実装または実行され得る。汎用プロセッサはマイクロプロセッサであってよいが、代替として、プロセッサは、任意の従来のプロセッサ、コントローラ、マイクロコントローラ、またはステートマシンであってもよい。プロセッサはまた、コンピューティングデバイスの組合せ(たとえば、DSPとマイクロプロセッサとの組合せ、複数のマイクロプロセッサ、DSPコアと連携した1つもしくは複数のマイクロプロセッサ、または任意の他のそのような構成)として実装され得る。
【０１９５】
本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、1つまたは複数の命令またはコードとして、コンピュータ可読媒体上に記憶されてよく、またはコンピュータ可読媒体を介して送信されてもよい。他の例および実装形態が、本開示および添付の特許請求の範囲内に入る。たとえば、ソフトウェアの性質に起因して、上記で説明した機能は、プロセッサ、ハードウェア、ファームウェア、ハードワイヤリング、またはこれらのうちのいずれかの組合せによって実行される、ソフトウェアを使用して実装され得る。機能を実施する特徴はまた、機能の部分が異なる物理的ロケーションにおいて実装されるように分散されることを含めて、様々な位置に物理的に配置されてよい。また、特許請求の範囲内を含めて本明細書で使用する項目の列挙(たとえば、「のうちの少なくとも1つ」または「のうちの1つまたは複数」などの句が後置される項目の列挙)において使用される「または」は、たとえば、A、B、またはCのうちの少なくとも1つという列挙が、AまたはBまたはCまたはABまたはACまたはBCまたはABC(すなわち、AおよびBおよびC)を意味するような包括的列挙を示す。また、本明細書で使用する「に基づいて」という句は、条件の閉集合を指すものと解釈されるべきではない。たとえば、「条件Aに基づいて」として説明されている例示的なステップは、本開示の範囲から逸脱することなく、条件Aと条件Bの両方に基づいてよい。言い換えれば、本明細書で使用する「に基づいて」という句は、「に少なくとも部分的に基づいて」という句と同様に解釈されるべきである。
【０１９６】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用コンピュータまたは専用コンピュータによってアクセスされ得る任意の利用可能な媒体であってよい。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気記憶デバイス、あるいは命令またはデータ構造の形態の所望のプログラムコード手段を担持または記憶するために使用され得るとともに、汎用コンピュータもしくは専用コンピュータまたは汎用プロセッサもしくは専用プロセッサによってアクセスされ得る、任意の他の非一時的媒体を備えてよい。また、任意の接続が、適正にコンピュータ可読媒体と呼ばれる。たとえば、ソフトウェアが、同軸ケーブル、光ファイバーケーブル、ツイストペア、デジタル加入者線(DSL)、または赤外線、無線、およびマイクロ波などのワイヤレス技術を使用して、ウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、CD、レーザーディスク(登録商標)(disc)、光ディスク(disc)、デジタル多用途ディスク(disc)(DVD)、フロッピーディスク(disk)、およびBlu-ray(登録商標)ディスク(disc)を含み、ここで、ディスク(disk)は、通常、データを磁気的に再生し、ディスク(disc)は、レーザーを用いてデータを光学的に再生する。上記のものの組合せも、コンピュータ可読媒体の範囲内に含まれる。
【０１９７】
本明細書での説明は、当業者が本開示を作成または使用することを可能にするために提供される。本開示の様々な修正は当業者に容易に明らかになり、本明細書で定義された一般原理は、本開示の範囲から逸脱することなく他の変形形態に適用され得る。したがって、本開示は、本明細書で説明した例および設計に限定されず、本明細書で開示する原理および新規の特徴と一致する最も広い範囲を与えられるべきである。
【符号の説明】
【０１９８】
100  ワイヤレス通信システム
105  基地局
110  地理的カバレージエリア
115  ユーザ機器(UE)
125  通信リンク
130  コアネットワーク
132、134  バックホールリンク
200  ワイヤレス通信システム
205  地理的カバレージエリア
210  キャリア
215  構成メッセージ
220  サウンディング基準信号(SRS)
300  リソースブロック
305  サブフレーム
310  周波数帯域
315、320  サウンディング基準信号(SRS)
400  リソースブロック
405  サブフレーム
410  短縮送信時間区間(sTTI)
415  物理ダウンリンク制御チャネル(PDCCH)
420  短縮PDCCH(sPDCCH)
425  データ
605  ワイヤレスデバイス
610  受信機
615  UE通信マネージャ
620  送信機
705  ワイヤレスデバイス
710  受信機
715  UE通信マネージャ
720  送信機
725  グラントマネージャ
730  SRS識別器
735  SRS構成マネージャ
815  UE通信マネージャ
820  グラントマネージャ
825  SRS識別器
830  SRS構成マネージャ
835  SRS送信電力構成マネージャ
840  SRS衝突マネージャ
905  デバイス
910  バス
915  UE通信マネージャ
920  プロセッサ
925  メモリ
930  ソフトウェア
935  トランシーバ
940  アンテナ
945  I/Oコントローラ
1005  ワイヤレスデバイス
1010  受信機
1015  基地局通信マネージャ
1020  送信機
1105  ワイヤレスデバイス
1110  受信機
1115  基地局通信マネージャ
1120  送信機
1125  SRS構成マネージャ
1130  チャネル品質マネージャ
1135  グラントマネージャ
1205  デバイス
1210  バス
1215  基地局通信マネージャ
1220  プロセッサ
1225  メモリ
1230  ソフトウェア
1235  トランシーバ
1240  アンテナ
1245  ネットワーク通信マネージャ
1250  局間通信マネージャ
1305  ワイヤレスデバイス
1310  受信機
1315  通信マネージャ
1320  送信機
1405  ワイヤレスデバイス
1410  受信機
1415  通信マネージャ
1420  送信機
1425  データ識別器
1430  リソース要素マネージャ
1435  TBS決定器
1515  通信マネージャ
1520  データ識別器
1525  リソース要素マネージャ
1530  TBS決定器
1535  送信モード決定器
1605  デバイス
1610  バス
1615  UE通信マネージャ
1620  プロセッサ
1625  メモリ
1630  ソフトウェア
1635  トランシーバ
1640  アンテナ
1645  I/Oコントローラ
1705  デバイス
1710  バス
1715  基地局通信マネージャ
1720  プロセッサ
1725  メモリ
1730  ソフトウェア
1735  トランシーバ
1740  アンテナ
1745  ネットワーク通信マネージャ
1750  局間通信マネージャ
【図１】
2020519110.tif 000009
【図２】
2020519110.tif 000010
【図３】
2020519110.tif 000011
【図４】
2020519110.tif 000012
【図５】
2020519110.tif 000013
【図６】
2020519110.tif 000014
【図７】
2020519110.tif 000015
【図８】
2020519110.tif 000016
【図９】
2020519110.tif 000017
【図１０】
2020519110.tif 000018
【図１１】
2020519110.tif 000019
【図１２】
2020519110.tif 000020
【図１３】
2020519110.tif 000021
【図１４】
2020519110.tif 000022
【図１５】
2020519110.tif 000023
【図１６】
2020519110.tif 000024
【図１７】
2020519110.tif 000025
【図１８】
2020519110.tif 000026
【図１９】
2020519110.tif 000027
【図２０】
2020519110.tif 000028
【図２１】
2020519110.tif 000029
【図２２】
2020519110.tif 000030
【国際調査報告】
2020519110.tif 000031
2020519110.tif 000032
2020519110.tif 000033
2020519110.tif 000034
2020519110.tif 000035